(57)【要約】【課題】本明細書は、無線通信システムにおいてチャネル状態情報を測定及び報告する方法を提供する。【解決手段】具体的には、無線通信システムにおいて端末がチャネル状態情報（Channel State Information：ＣＳＩ）を報告する方法は、ＣＳＩ報告手順に関するＣＳＩ設定情報（CSI configuration information）を受信する過程と、１つ又は複数のチャネル状態情報参照信号（CSI-Reference Signal：ＣＳＩ−ＲＳ）を受信する過程と、上記１つ又は複数のＣＳＩ−ＲＳにより推定された測定値で決定された上記ＣＳＩを報告する過程と、を有し、上記１つ又は複数のＣＳＩ−ＲＳの送信に対する第１トリガ（triggering）と上記ＣＳＩの報告に対する第２トリガとは、ダウンリンク制御情報（downlink control information）を介して指示されることができる。【選択図】図１２
2020509655.tif 000002
【特許請求の範囲】
【請求項１】
無線通信システムにおいて端末がチャネル状態情報（Channel State Information：ＣＳＩ）を報告する（reporting）方法であって、
ＣＳＩ報告手順と関連するＣＳＩ設定情報（CSI configuration information）を受信する過程であって、前記ＣＳＩ設定情報は、前記ＣＳＩのための測定設定（measurement setting）を示す情報、前記ＣＳＩのための報告設定（reporting setting）を示す情報、及び前記ＣＳＩのためのリソース設定（resource setting）を示す情報を有する過程と、
前記リソース設定を示す情報に基づいて、１つ又は複数のチャネル状態情報参照信号（CSI-Reference Signal：ＣＳＩ−ＲＳ）を受信する過程と、
前記測定設定を示す情報及び前記報告設定を示す情報に基づいて、前記１つ又は複数のＣＳＩ−ＲＳにより推定された測定値で決定された前記ＣＳＩを報告する過程と、を有し、
前記１つ又は複数のＣＳＩ−ＲＳの送信に対する第１トリガ（triggering）と前記ＣＳＩの報告に対する第２トリガとは、ダウンリンク制御情報（downlink control information）を介して指示される、ＣＳＩ報告方法。
【請求項２】
前記第１トリガ及び前記第２トリガは、前記端末に対して同時に（simultaneously）指示される、請求項１に記載のＣＳＩ報告方法。
【請求項３】
前記第１トリガ及び前記第２トリガは、前記端末に対して同一のスロット（slot）内で指示される、請求項２に記載のＣＳＩ報告方法。
【請求項４】
前記第１トリガ及び前記第２トリガは、特定のダウンリンク制御情報により指示され、
前記特定のダウンリンク制御情報は、前記第１トリガのための第１フィールド（field）及び前記第２トリガのための第２フィールドを有する、請求項１に記載のＣＳＩ報告方法。
【請求項５】
前記第１フィールドは、前記第１トリガと関連する１つ又は複数のＣＳＩ−ＲＳリソースに対するインデックス（index）を指示し、
前記第２フィールドは、前記第２トリガと関連する１つ又は複数のＣＳＩ報告設定に対するインデックスを指示する、請求項４に記載のＣＳＩ報告方法。
【請求項６】
前記第１トリガ及び前記第２トリガは、特定のダウンリンク制御情報により指示され、
前記特定のダウンリンク制御情報は、前記第１トリガ又は前記第２トリガを指示するフラグ（flag）情報を有し、
前記第１トリガと関連する１つ又は複数のＣＳＩ−ＲＳリソースに対するインデックス、又は前記第２トリガと関連する１つ又は複数のＣＳＩ報告設定に対するインデックスは、前記特定のダウンリンク制御情報に有される共通フィールド（common field）において指示される、請求項１に記載のＣＳＩ報告方法。
【請求項７】
前記フラグ情報は、前記第１トリガと前記第２トリガとの間のジョイントトリガ（joint triggering）が可能か否かをさらに指示する、請求項６に記載のＣＳＩ報告方法。
【請求項８】
前記第１トリガと関連する１つ又は複数のＣＳＩ−ＲＳリソースに対するインデックスと、前記第２トリガと関連する１つ又は複数のＣＳＩ報告設定に対するインデックスと、を共に示す指示情報は、前記共通フィールドにおいて指示されるように設定される、請求項７に記載のＣＳＩ報告方法。
【請求項９】
前記第１トリガは、前記第１トリガのための第１フィールド（field）を有する第１ダウンリンク制御情報により指示され、
前記第２トリガは、前記第２トリガのための第２フィールドを有する第２ダウンリンク制御情報により指示される、請求項１に記載のＣＳＩ報告方法。
【請求項１０】
前記１つ又は複数のＣＳＩ−ＲＳは、前記リソース設定を示す情報に有される少なくとも１つのＣＳＩ−ＲＳリソース設定に属する１つ又は複数のＣＳＩ−ＲＳを介して受信され、
前記ＣＳＩは、前記測定設定を示す情報に有されるＣＳＩ測定設定内の１つ又は複数のＣＳＩ報告設定により報告される、請求項１に記載のＣＳＩ報告方法。
【請求項１１】
前記１つ又は複数のＣＳＩ報告設定に対して複数のＣＳＩ−ＲＳリソース設定が複数のリンク（link）で予め設定される場合、前記複数のリンクのうちの少なくとも１つのリンクに対するオン（ＯＮ）又はオフ（ＯＦＦ）を示す情報が、前記第２トリガと共に指示される、請求項１０に記載のＣＳＩ報告方法。
【請求項１２】
前記測定設定を示す情報は、前記少なくとも１つのＣＳＩ−ＲＳリソース設定の用途を指示する情報をさらに有し、
前記少なくとも１つのＣＳＩ−ＲＳリソース設定の用途は、チャネル測定（channel measurement）、干渉測定（interference measurement）、又はレートマッチング（rate matching）のいずれか１つである、請求項１０に記載のＣＳＩ報告方法。
【請求項１３】
前記測定設定を示す情報は、前記少なくとも１つのＣＳＩ−ＲＳリソース設定の用途を変更するスワップ情報（swapping information）をさらに有し、
前記少なくとも１つのＣＳＩ−ＲＳリソース設定の用途は、チャネル測定（channel measurement）、干渉測定（interference measurement）、又はレートマッチング（rate matching）のいずれか１つである、請求項１０に記載のＣＳＩ報告方法。
【請求項１４】
前記１つ又は複数のＣＳＩ−ＲＳは、非周期的（aperiodic）に送信されるように設定され、
前記ＣＳＩは、非周期的に報告されるように設定される、請求項１に記載のＣＳＩ報告方法。
【請求項１５】
無線通信システムにおいてチャネル状態情報（Channel State Information：ＣＳＩ）を報告する（reporting）端末であって、
無線信号を送受信するＲＦモジュール（radio frequency module）と、
前記ＲＦモジュールと機能的に接続されているプロセッサと、を有し、
前記プロセッサは、
ＣＳＩ報告手順と関連するＣＳＩ設定情報（CSI configuration information）を受信し、前記ＣＳＩ設定情報は、前記ＣＳＩのための測定設定（measurement setting）を示す情報、前記ＣＳＩのための報告設定（reporting setting）を示す情報、及び前記ＣＳＩのためのリソース設定（resource setting）を示す情報を有し、
前記リソース設定を示す情報に基づいて、１つ又は複数のチャネル状態情報参照信号（CSI-Reference Signal：ＣＳＩ−ＲＳ）を受信し、
前記測定設定を示す情報及び前記報告設定を示す情報に基づいて、前記１つ又は複数のＣＳＩ−ＲＳにより推定された測定値で決定された前記ＣＳＩを報告するように制御し、
前記１つ又は複数のＣＳＩ−ＲＳの送信に対する第１トリガ（triggering）と前記ＣＳＩの報告に対する第２トリガとは、ダウンリンク制御情報（downlink control information）を介して指示される、端末。
【発明の詳細な説明】
【技術分野】
【０００１】
本発明は、無線通信システムに関し、より詳細には、チャネル状態情報（Channel State Information：ＣＳＩ）を測定（measurement）及び報告（reporting）する方法及びそれをサポートする装置に関する。
【背景技術】
【０００２】
移動通信システムは、ユーザの移動性（活動性）（mobility）を保証（保障）しながら（guaranteeing）音声サービスを提供するために開発された。しかしながら、移動通信システムは、音声だけでなくデータサービスまで領域を拡張し、現在では、爆発的なトラフィックの増加によってリソースが不足する現象が引き起こされ、ユーザがより高速のサービスを要求するので、より発展した移動通信システムが要求されている。
【０００３】
次世代の移動通信システムの要求条件は、大きく、爆発的なデータトラフィックへの順応（収容）、ユーザ当たりの送信レート（送信率）の画期的な増加、大幅に増加した接続（連結）（connection）デバイスの個数への順応（収容）（accommodation）、非常に低いエンドツーエンド遅延（End-to-End Latency）、高エネルギ効率をサポートできなければならない。そのために、二重接続（二重連結性）（Dual Connectivity）、大規模多入力多出力（多重入出力）（Massive MIMO：Massive Multiple Input Multiple Output）、（帯域内）全二重（In-band Full Duplex）、非直交多元接続（多重接続）（ＮＯＭＡ：Non-Orthogonal Multiple Access）、超広帯域（Super wideband）サポート、端末ネットワーキング（Device Networking）など、様々な技術が研究されている。
【発明の概要】
【発明が解決しようとする課題】
【０００４】
本明細書は、端末がチャネル状態情報（Channel State Information：ＣＳＩ）を測定（measurement）及び報告（reporting）する方法を提案する。
【０００５】
これと関連して、本明細書は、独立した（independent）ＣＳＩ報告トリガ（リング）（triggering）及びＣＳＩ−ＲＳトリガを動的に（dynamically）行う方法を提案する。
【０００６】
また、本明細書は、独立したＣＳＩ報告トリガ及びＣＳＩ−ＲＳトリガのために、ダウンリンク制御情報を設計する方法を提案する。
【０００７】
さらに、本明細書は、ＣＳＩ測定設定に含まれるリンク（link）に対するオン（Ｏｎ）／オフ（Ｏｆｆ）又は用途（purpose）のスワップ（swapping）を指示するための情報を動的に伝達する方法を提案する。
【０００８】
本発明で達成しようとする技術的課題は、以上で言及した技術的課題に制限されず、言及しない更に他の技術的課題は、以下の記載から、本発明が属する技術分野で通常の知識を有する者に明確に理解できるはずである。
【課題を解決するための手段】
【０００９】
本発明の実施形態による無線通信システムにおいて、端末がチャネル状態情報（Channel State Information：ＣＳＩ）を報告する（reporting）方法であって、この方法は、ＣＳＩ報告手順に関するＣＳＩ設定情報（CSI configuration information）を受信する過程であって、ＣＳＩ設定情報は、ＣＳＩのための測定設定（measurement setting）を示す情報、ＣＳＩのための報告設定（reporting setting）を示す情報、及びＣＳＩのためのリソース設定（resource setting）を示す情報を有する過程と、リソース設定を示す情報に基づいて、１つ又は複数のチャネル状態情報参照信号（CSI-Reference Signal：ＣＳＩ−ＲＳ）を受信する過程と、測定設定を示す情報及び報告設定を示す情報に基づいて、１つ又は複数のＣＳＩ−ＲＳにより推定された測定値で決定されたＣＳＩを報告する過程と、を有し、１つ又は複数のＣＳＩ−ＲＳの送信に対する第１トリガ（triggering）とＣＳＩの報告に対する第２トリガとは、ダウンリンク制御情報（downlink control information）を介して指示されることができる。
【００１０】
また、本発明の実施形態による上記方法であって、第１トリガ及び第２トリガは、端末に対して同時に（simultaneously）指示されることができる。
【００１１】
さらに、本発明の実施形態による上記方法であって、第１トリガ及び第２トリガは、端末に対して同一のスロット（slot）内で指示されることができる。
【００１２】
さらに、本発明の実施形態による上記方法であって、第１トリガ及び第２トリガは、特定のダウンリンク制御情報により指示され、特定のダウンリンク制御情報は、第１トリガのための第１フィールド（field）及び第２トリガのための第２フィールドを有することができる。
【００１３】
さらに、本発明の実施形態による上記方法であって、第１フィールドは、第１トリガと関連する１つ又は複数のＣＳＩ−ＲＳリソースに対するインデックス（index）を指示し、第２フィールドは、第２トリガと関連する１つ又は複数のＣＳＩ報告設定に対するインデックスを指示することができる。
【００１４】
さらに、本発明の実施形態による上記方法であって、第１トリガ及び第２トリガは、特定のダウンリンク制御情報により指示され、特定のダウンリンク制御情報は、第１トリガ又は第２トリガを指示するフラグ（flag）情報を有し、第１トリガと関連する１つ又は複数のＣＳＩ−ＲＳリソースに対するインデックス、又は第２トリガと関連する１つ又は複数のＣＳＩ報告設定に対するインデックスは、特定のダウンリンク制御情報に有される共通フィールド（common field）において指示されることができる。
【００１５】
また、本発明の実施形態による上記方法であって、フラグ情報は、第１トリガと第２トリガとの間のジョイントトリガ（joint triggering）が可能か否かをさらに指示することができる。
【００１６】
さらに、本発明の実施形態による上記方法であって、第１トリガと関連する１つ又は複数のＣＳＩ−ＲＳリソースに対するインデックスと、第２トリガと関連する１つ又は複数のＣＳＩ報告設定に対するインデックスと、を共に示す指示情報は、共通フィールドにおいて指示されるように設定される。
【００１７】
さらに、本発明の実施形態による上記方法であって、第１トリガは、第１トリガのための第１フィールド（field）を有する第１ダウンリンク制御情報により指示され、第２トリガは、第２トリガのための第２フィールドを有する第２ダウンリンク制御情報により指示されることができる。
【００１８】
さらに、本発明の実施形態による上記方法であって、１つ又は複数のＣＳＩ−ＲＳは、リソース設定を示す情報に有される少なくとも１つのＣＳＩ−ＲＳリソース設定に属する１つ又は複数のＣＳＩ−ＲＳを介して受信され、ＣＳＩは、測定設定を示す情報に有されるＣＳＩ測定設定内の１つ又は複数のＣＳＩ報告設定により報告されることができる。
【００１９】
さらに、本発明の実施形態による上記方法であって、１つ又は複数のＣＳＩ報告設定に対して複数のＣＳＩ−ＲＳリソース設定が複数のリンク（link）で予め設定される場合、複数のリンクのうちの少なくとも１つのリンクに対するオン（ＯＮ）又はオフ（ＯＦＦ）を示す情報が、第２トリガと共に指示されることができる。
【００２０】
さらに、本発明の実施形態による上記方法であって、測定設定を示す情報は、少なくとも１つのＣＳＩ−ＲＳリソース設定の用途（use）を指示する情報をさらに有し、少なくとも１つのＣＳＩ−ＲＳリソース設定の用途は、チャネル測定（channel measurement）、干渉測定（interference measurement）、又はレートマッチング（rate matching）のうちの１つであり得る。
【００２１】
さらに、本発明の実施形態による上記方法であって、測定設定を示す情報は、少なくとも１つのＣＳＩ−ＲＳリソース設定の用途を変更するスワップ情報（swapping information）をさらに有し、少なくとも１つのＣＳＩ−ＲＳリソース設定の用途は、チャネル測定（channel measurement）、干渉測定（interference measurement）、又はレートマッチング（rate matching）のうちの１つであり得る。
【００２２】
さらに、本発明の実施形態による上記方法であって、１つ又は複数のＣＳＩ−ＲＳは、非周期的（aperiodic）に送信されるように設定され、ＣＳＩは、非周期的に報告されるように設定される。
【００２３】
本発明の実施形態による無線通信システムにおいて、チャネル状態情報（Channel State Information：ＣＳＩ）を報告する（reporting）端末であって、端末は、無線信号を送受信するＲＦモジュール（radio frequency module）と、ＲＦモジュールと機能的に接続されたプロセッサと、を有し、プロセッサは、ＣＳＩ報告手順に関するＣＳＩ設定情報（CSI configuration information）を受信し、ＣＳＩ設定情報は、ＣＳＩのための測定設定（measurement setting）を示す情報、ＣＳＩのための報告設定（reporting setting）を示す情報、及びＣＳＩのためのリソース設定（resource setting）を示す情報を有し、リソース設定を示す情報に基づいて、１つ又は複数のチャネル状態情報参照信号（CSI-Reference Signal：ＣＳＩ−ＲＳ）を受信し、測定設定を示す情報及び報告設定を示す情報に基づいて、１つ又は複数のＣＳＩ−ＲＳにより推定された測定値で決定されたＣＳＩを報告するように制御し、１つ又は複数のＣＳＩ−ＲＳの送信に対する第１トリガ（triggering）とＣＳＩの報告に対する第２トリガとは、ダウンリンク制御情報（downlink control information）を介して指示されることができる。
【発明の効果】
【００２４】
本発明の実施形態によれば、ＣＳＩ報告設定（CSI reporting setting）及びＣＳＩ−ＲＳリソース設定（CSI-RS resource setting）に対するトリガを独立して行うことにより、端末がＣＳＩ測定及び報告をより柔軟（flexible）に行うことができるという効果がある。
【００２５】
本発明で得ることができる効果は、以上で言及した効果に制限されず、言及しない更に他の効果は、以下の記載から本発明が属する技術分野で通常の知識を有する者に明確に理解できるはずである。
【図面の簡単な説明】
【００２６】
【図１】本明細書で提案する方法を適用できるＮＲの全体的なシステム構造の一例を示す図である。
【図２】本明細書で提案する方法を適用できる無線通信システムにおけるアップリンクフレームとダウンリンクフレームとの間の関係を示す図である。
【図３】本明細書で提案する方法を適用できる無線通信システムでサポートするリソースグリッド（resource grid）の一例を示す図である。
【図４】本明細書で提案する方法を適用できるアンテナポート及びヌメロロジ別リソースグリッドの例を示す図である。
【図５】本明細書で提案する方法を適用できるｓｅｌｆ−ｃｏｎｔａｉｎｅｄ  ｓｌｏｔ構造の一例を示す図である。
【図６】本明細書で提案する方法を適用できるＴＸＲＵとアンテナエレメントとの接続方式の例を示す図である。
【図７】本明細書で提案する方法を適用できるＴＸＲＵ別のサービスエリアの多様な例を示す図である。
【図８】本明細書で提案する方法を適用できる２次元平面アレイ構造を用いるＭＩＭＯシステムの一例を示す図である。
【図９】本明細書で提案する方法を適用できるＮＲシステムにおいて考慮されるＣＳＩフレームワーク（CSI framework）の一例を示す図である。
【図１０】本明細書で提案する方法を適用できるＣＳＩ測定及び報告に関する全般的な手順を示す図である。
【図１１】本明細書で提案する方法を適用できるトリガＤＣＩ構造の例を示す図である。
【図１２】本明細書で提案する方法を適用できる、無線通信システムにおいてＣＳＩを測定及び報告する端末の動作のフローチャートである。
【図１３】本発明の一実施形態による無線通信装置の例示のブロック構成図である。
【図１４】本発明の一実施形態による通信装置の例示のブロック構成図である。
【発明を実施するための形態】
【００２７】
本発明に関する理解を助けるために詳細な説明の一部として含まれる添付図面は、本発明に係る実施形態を提供し、詳細な説明と共に本発明の技術的特徴を説明する。
【００２８】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は、本発明がこのような具体的な細部事項無しでも実施できることが分かる。
【００２９】
幾つかの場合、本発明の概念が曖昧になることを避けるために、公知の構造及び装置は省略されるか、又は各構造及び装置の中核機能を中心としたブロック図形式で図示されることができる。
【００３０】
本明細書において、基地局は、端末と直接通信を行うネットワークの終端ノード（terminal node）としての意味を有する。本文書で基地局により行われるものとして説明された特定の動作は、場合によっては、基地局の上位ノード（upper node）により行われることもできる。即ち、基地局を含む複数のネットワークノード（network nodes）からなるネットワークにおいて、端末との通信のために行われる様々な動作は、基地局又は基地局以外の他のネットワークノードにより遂行できることは自明である。「基地局（ＢＳ：Base Station）」は、固定局（fixed station）、Ｎｏｄｅ Ｂ、ｅＮＢ（evolved-NodeB）、ＢＴＳ（Base Transceiver System）、アクセスポイント（ＡＰ：Access Point）、ｇＮＢ（next generation NB, general NB, gNodeB）などの用語により置き換えられる。また、「端末（Terminal）」は、固定されるか、又は移動性を有することができ、ＵＥ（User Equipment）、ＭＳ（Mobile Station）、ＵＴ（User Terminal）、ＭＳＳ（Mobile Subscriber Station）、ＳＳ（Subscriber Station）、ＡＭＳ（Advanced Mobile Station）、ＷＴ（Wireless Terminal）、ＭＴＣ（Machine-Type Communication）装置、Ｍ２Ｍ（Machine-to-Machine）装置、Ｄ２Ｄ（Device-to-Device）装置などの用語に置き換えることができる。
【００３１】
以下、ダウンリンク（ＤＬ：DownLink）は、基地局から端末への通信を意味し、アップリンク（ＵＬ：UpLink）は、端末から基地局への通信を意味する。ダウンリンクにおいて、送信器は基地局の一部であり、受信器は端末の一部でありうる。アップリンクにおいて、送信器は端末の一部であり、受信器は基地局の一部でありうる。
【００３２】
以下の説明で使用される特定の用語は、本発明の理解を助けるために提供されたものであり、このような特定用語の使用は、本発明の技術的思想を逸脱しない範囲で異なる形態に変更できる。
【００３３】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）、ＮＯＭＡ（Non-Orthogonal Multiple Access）などの様々な無線アクセスシステム（無線接続システム）（radio access systems）に利用できる。ＣＤＭＡは、ＵＴＲＡ（Universal Terrestrial Radio Access）やＣＤＭＡ２０００などの無線技術（radio technology）で実現できる。ＴＤＭＡは、ＧＳＭ（登録商標）（Global System for Mobile communications）／ＧＰＲＳ（General Packet Radio Service）／ＥＤＧＥ（Enhanced Data rates for GSM Evolution）などの無線技術で実現できる。ＯＦＤＭＡは、ＩＥＥＥ ８０２．１１（ＷｉＦｉ）、ＩＥＥＥ ８０２．１６（ＷｉＭＡＸ）、ＩＥＥＥ ８０２-２０、Ｅ−ＵＴＲＡ（Evolved UTRA）などの無線技術で実現できる。ＵＴＲＡは、ＵＭＴＳ（Universal Mobile Telecommunications System）の一部である。３ＧＰＰ（3rd Generation Partnership Project） ＬＴＥ（Long Term Evolution）は、Ｅ−ＵＴＲＡを使用するＥ−ＵＭＴＳ（Evolved UMTS）の一部であって、ダウンリンクでＯＦＤＭＡを採用し、アップリンクでＳＣ−ＦＤＭＡを採用する。ＬＴＥ−Ａ（Advanced）は、３ＧＰＰ ＬＴＥの発展（進化）型（evolution）である。
【００３４】
本発明の実施形態は、無線アクセスシステムであるＩＥＥＥ ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップ又は部分は、上記文書により裏付けられる。また、本文書で開示している全ての用語は、上記標準文書により説明できる。
【００３５】
説明を明確にするために、３ＧＰＰ ＬＴＥ／ＬＴＥ、ＮＲ（New RAT）を中心として記述するが、本発明の技術的特徴がこれに制限されるものではない。
【００３６】
用語の定義
【００３７】
ｅＬＴＥ ｅＮＢ：ｅＬＴＥ ｅＮＢは、ＥＰＣ（Evolved Packet Core）及びＮＧＣ（Next Generation Core）に対する接続をサポートするｅＮＢの発展型（evolution）である。
【００３８】
ｇＮＢ：ＮＧＣとの接続だけでなく、ＮＲをサポートするノード。
【００３９】
新たなＲＡＮ（New RAN）：ＮＲ又はＥ−ＵＴＲＡをサポートするか、又はＮＧＣと相互作用する無線アクセスネットワーク。
【００４０】
ネットワークスライス（network slice）：ネットワークスライスは、終端間の範囲（inter-terminal range）と共に特定要求事項を要求する特定の市場シナリオ（market scenario）に対して最適化された解決法を提供するようにオペレータ（operator）により定義されたネットワーク。
【００４１】
ネットワーク機能（network function）：ネットワーク機能は、よく定義された外部インターフェースとよく定義された機能的動作とを有するネットワークインフラ内での論理ノード。
【００４２】
ＮＧ−Ｃ：新たなＲＡＮとＮＧＣとの間のＮＧ２リファレンスポイント（reference point）に使用される制御プレーンインターフェース。
【００４３】
ＮＧ−Ｕ：新たなＲＡＮとＮＧＣとの間のＮＧ３リファレンスポイント（reference point）に使用されるユーザプレーンインターフェース。
【００４４】
非スタンドアロン（独立型）（Non-standalone）ＮＲ：ｇＮＢがＬＴＥ ｅＮＢをＥＰＣに制御プレーン接続のためのアンカとして要求するか、又はｅＬＴＥ ｅＮＢをＮＧＣに制御プレーン接続のためのアンカとして要求する配置構成。
【００４５】
非スタンドアロンＥ−ＵＴＲＡ：ｅＬＴＥ ｅＮＢがＮＧＣに制御プレーン接続のためのアンカとしてｇＮＢを要求する配置構成。
【００４６】
ユーザプレーンゲートウェイ：ＮＧ−Ｕインターフェースの終端点。
【００４７】
システム一般
【００４８】
図１は、本明細書で提案する方法を適用できるＮＲの全体的なシステム構造の一例を示す図である。
【００４９】
図１を参照すると、ＮＧ−ＲＡＮは、ＮＧ−ＲＡユーザプレーン（新たなＡＳ ｓｕｂｌａｙｅｒ／ＰＤＣＰ／ＲＬＣ／ＭＡＣ／ＰＨＹ）及びＵＥ（User Equipment）に対する制御プレーン（ＲＲＣ）プロトコル終端を提供するｇＮＢで構成される。
【００５０】
上記ｇＮＢは、Ｘｎインターフェースを通じて相互接続される。
【００５１】
また、上記ｇＮＢは、ＮＧインターフェースを通じてＮＧＣに接続される。
【００５２】
より具体的には、上記ｇＮＢは、Ｎ２インターフェースを通じてＡＭＦ（Access and Mobility Management Function）に、Ｎ３インターフェースを通じてＵＰＦ（User Plane Function）に、接続される。
【００５３】
ＮＲヌメロロジ（Numerology）及びフレーム（frame）構造
【００５４】
ＮＲシステムでは、複数のヌメロロジ（numerology）をサポートできる。ここで、ヌメロロジは、サブキャリア間隔（subcarrier spacing）及びＣＰ（Cyclic Prefix）オーバーヘッドにより定義できる。この際、複数のサブキャリア間隔は、基本サブキャリア間隔を整数Ｎ（又は、μ）にスケーリング（scaling）することにより導出（誘導）できる（derived）。また、非常に高い搬送波周波数で非常に低いサブキャリア間隔を利用しないと仮定されても、用いられるヌメロロジは、周波数帯域と独立して選択できる。
【００５５】
また、ＮＲシステムでは、複数のヌメロロジに従う様々なフレーム構造をサポートできる。
【００５６】
以下、ＮＲシステムで考慮できるＯＦＤＭ（Orthogonal Frequency Division Multiplexing）ヌメロロジ及びフレーム構造を説明する。
【００５７】
ＮＲシステムでサポートされる複数のＯＦＤＭヌメロロジは、表１のように定義できる。
【００５８】
＜表１＞
【表１】
2020509655.tif 000003
【００５９】
ＮＲシステムにおけるフレーム構造（frame structure）と関連して、時間領域の様々なフィールドのサイズは、
2020509655.tif 000004
の時間単位の倍数として表現される。ここで、
2020509655.tif 000005
であり、
2020509655.tif 000006
である。ダウンリンク（downlink）及びアップリンク（uplink）転送は、
2020509655.tif 000007
の区間を有する無線フレーム（radio frame）で構成される。ここで、無線フレームは、各々
2020509655.tif 000008
の区間を有する１０個のサブフレーム（subframe）で構成される。この場合、アップリンクに対する１セットのフレーム及びダウンリンクに対する１セットのフレームが存在することができる。
【００６０】
図２は、本明細書で提案する方法を適用できる無線通信システムにおけるアップリンクフレームとダウンリンクフレームとの間の関係を示す。
【００６１】
図２に示すように、端末（User Equipment：ＵＥ）からのアップリンクフレーム番号ｉの転送は、当該端末での該当ダウンリンクフレームの開始より
2020509655.tif 000009
以前に始めなければならない。
【００６２】
ヌメロロジμに対して、スロット（slot）は、サブフレーム内で
2020509655.tif 000010
の増加する順に番号が付けられて、無線フレーム内で
2020509655.tif 000011
の増加する順に番号が付けられる。１つのスロットは、
2020509655.tif 000012
個の連続するＯＦＤＭシンボルで構成され、
2020509655.tif 000013
は、用いられるヌメロロジ及びスロット設定（slot configuration）によって決定される。サブフレームでスロット
2020509655.tif 000014
の開始は、同一サブフレームにおいてＯＦＤＭシンボル
2020509655.tif 000015
の開始と時間的に整列される（揃えられる）（temporally aligned）。
【００６３】
全ての端末が同時に送信及び受信できるものではなく、これは、ダウンリンクスロット（downlink slot）又はアップリンクスロット（uplink slot）の全てのＯＦＤＭシンボルが利用可能でない（not all OFDM symbols in a DL slot or an UL slot are available to be used）ことを意味する。
【００６４】
表２は、ヌメロロジμでのノーマル（一般）（normal）ＣＰに対するスロット当たりのＯＦＤＭシンボルの数を示し、表３は、ヌメロロジμでの拡張（extended）ＣＰに対するスロット当たりのＯＦＤＭシンボルの数を示す。
【００６５】
＜表２＞
【表２】
2020509655.tif 000016
【００６６】
＜表３＞
【表３】
2020509655.tif 000017
【００６７】
ＮＲ物理リソース（NR Physical Resource）
【００６８】
ＮＲシステムにおける物理リソース（physical resource）と関連して、アンテナポート（antenna port）、リソース（資源）グリッド（resource grid）、リソースエレメント（資源要素）（resource element）、リソース（資源）ブロック（resource block）、キャリアパート（carrier part）などが考慮できる。
【００６９】
以下、ＮＲシステムで考慮できる上記物理リソースについて具体的に説明する。
【００７０】
先に、アンテナポートと関連して、アンテナポートは、アンテナポート上のシンボルが運搬されるチャネルが、同一のアンテナポート上の他のシンボルが運搬されるチャネルから推論できるように定義される。１つのアンテナポート上のシンボルが運搬されるチャネルの広範囲特性（large-scale property）が、他のアンテナポート上のシンボルが運搬されるチャネルから類推できる場合、２つのアンテナポートは、ＱＣ／ＱＣＬ（Quasi Co-located又はQuasi Co-Location）関係にあるということができる。ここで、上記広範囲特性は、遅延拡散（Delay spread）、ドップラ拡散（Doppler spread）、周波数シフト（Frequency shift）、平均受信電力（パワー）（Average received power）、受信タイミング（Received Timing）のうち、１つ又は複数を含む。
【００７１】
図３は、本明細書において提案する方法が適用され得る無線通信システムでサポートするリソース（資源）グリッド（resource grid）の一例を示す。
【００７２】
図３に示すように、リソースグリッドは、周波数領域上に
2020509655.tif 000018
個のサブキャリアで構成され、１つのサブフレームが１４×２μ個のＯＦＤＭシンボルで構成されることを例示的に記述するが、これに限定されるものではない。
【００７３】
ＮＲシステムにおいて、送信される信号（transmitted signal）は、
2020509655.tif 000019
個のサブキャリア及び
2020509655.tif 000020
個のＯＦＤＭシンボルで構成される１つ又は複数のリソースグリッドにより説明される。（
2020509655.tif 000021
のサブキャリアで構成される１つまたはそれ以上のリソースグリッド及び
2020509655.tif 000022
のＯＦＤＭシンボルにより説明される。）ここで、
2020509655.tif 000023
である。上記
2020509655.tif 000024
は、最大送信帯域幅を表し、これは、ヌメロロジだけでなく、アップリンクとダウンリンクとの間でも変わることができる。
【００７４】
この場合、図４のように、ヌメロロジ
2020509655.tif 000025
及びアンテナポートｐ別に１つのリソースグリッドが設定され得る。
【００７５】
図４は、本明細書において提案する方法が適用され得るアンテナポート及びヌメロロジ別リソースグリッドの例を示す。
【００７６】
ヌメロロジ
2020509655.tif 000026
及びアンテナポートｐに対するリソースグリッドの各要素は、リソースエレメント（resource element）と称され、インデックス対
2020509655.tif 000027
により一意に（固有的に）（uniquely）識別される。ここで、
2020509655.tif 000028
は、周波数領域上のインデックスであり、
2020509655.tif 000029
は、サブフレーム内におけるシンボルの位置を称する（示す）（indicates）。スロットでリソースエレメントを称するときには、インデックス対
2020509655.tif 000030
が用いられる。ここで、
2020509655.tif 000031
である。
【００７７】
ヌメロロジ
2020509655.tif 000032
及びアンテナポートｐに対するリソースエレメント
2020509655.tif 000033
は、複素値（complex value）
2020509655.tif 000034
に該当する。混同（confusion）される危険がない場合、あるいは、特定アンテナポート又はヌメロロジが特定されなかった場合には、インデックスｐ及び
2020509655.tif 000035
は、ドロップ（drop）されることができ、その結果、複素値は、
2020509655.tif 000036
又は
2020509655.tif 000037
になることができる。
【００７８】
また、物理リソースブロック（physical resource block）は、周波数領域上の
2020509655.tif 000038
個の連続するサブキャリアで定義される。周波数領域上で、物理リソースブロックは、０から
2020509655.tif 000039
まで番号が付けられる。このとき、周波数領域上の物理リソースブロック番号（physical resource block number）
2020509655.tif 000040
とリソースエレメント
2020509655.tif 000041
との間の関係は、数式１のように与えられる。
【００７９】
＜数式１＞
【数１】
2020509655.tif 000042
【００８０】
また、キャリアパート（carrier part）と関連して、端末は、リソースグリッドのサブセット（subset）だけを用いて受信又は送信するように設定されることができる。このとき、端末が受信又は送信するように設定されたリソースブロックのセット（集合）（set）は、周波数領域上で０から
2020509655.tif 000043
まで番号が付けられる。
【００８１】
ビーム管理（Beam management）
【００８２】
ＮＲにおいてビーム管理は、次のように定義される。
【００８３】
ビーム管理（Beam management）：ＤＬ及びＵＬ送受信に用いられるＴＲＰ（１つ又は複数）及び／又はＵＥビームのセット（set）を取得して維持するためのＬ１／Ｌ２手順のセットとして、少なくとも次の事項を含む。
【００８４】
−ビーム決定：ＴＲＰ（１つ若しくは複数）又はＵＥが自体の送信／受信ビームを選択する動作。
【００８５】
−ビーム測定：ＴＲＰ（１つ若しくは複数）又はＵＥが受信したビームフォーミング（ビーム形成）（beamformed）信号の特性を測定する動作。
【００８６】
−ビーム報告：ＵＥがビーム測定に基づいてビームフォーミングされた信号の情報を報告する動作。
【００８７】
−ビームスイーピング（Beam sweeping）：予め決定された方式において一定の時間間隔で送信及び／又は受信したビームを用いて空間領域をカバーする動作（operation of covering a spatial region using a transmitted and/or received beam for a time interval in a predetermined scheme）。
【００８８】
また、ＴＲＰ及びＵＥにおけるＴｘ／Ｒｘビーム対応（correspondence）は、次のように定義される。
【００８９】
−ＴＲＰにおけるＴｘ／Ｒｘビーム対応は、次の少なくとも１つが満たされる（充足される）（satisfied）と、維持される。
【００９０】
−ＴＲＰは、ＴＲＰの１つの送信ビームに対するＵＥのダウンリンク測定に基づいて、アップリンク受信のためのＴＲＰ受信ビームを決定することができる。
【００９１】
−ＴＲＰは、ＴＲＰの少なくとも１つのＲｘビームに対するＴＲＰのアップリンク測定に基づいて、ダウンリンク送信に対するＴＲＰ Ｔｘビームを決定することができる。
【００９２】
−ＵＥにおけるＴｘ／Ｒｘビーム対応は、次の少なくとも１つが満たされると、維持される。
【００９３】
−ＵＥは、ＵＥの１つ又は複数のＲｘビームに対するＵＥのダウンリンク測定に基づいて、アップリンク送信のためのＵＥ Ｔｘビームを決定することができる。
【００９４】
−ＵＥは、少なくとも１つのＴｘビームに対するアップリンク測定に基づくＴＲＰの指示に基づいて、ダウンリンク受信のためのＵＥ受信ビームを決定することができる。
【００９５】
−ＴＲＰに対して、ＵＥビーム対応関連情報の能力指示がサポートされる（A capability indication of UE beam correspondence related information is supported to the TRP）。
【００９６】
次のようなＤＬ Ｌ１／Ｌ２ビーム管理手順が、１つ又は複数のＴＲＰ内でサポートされる。
【００９７】
Ｐ−１：ＴＲＰ Ｔｘビーム／ＵＥ Ｒｘビームの選択をサポートするために、相異なるＴＲＰ Ｔｘビームに対するＵＥ測定を可能にするのに用いられる。
【００９８】
−ＴＲＰにおけるビームフォーミングの場合、一般的に相異なるビームセットにおけるイントラ（intra）／インター（inter）ＴＲＰ Ｔｘビームスイープ（sweep）を含む。ＵＥにおけるビームフォーミングのために、それ（Ｐ−１）は、通常相異なるビームのセット（a set of different beams）からのＵＥ Ｒｘビームスイープを含む。
【００９９】
Ｐ−２：相異なるＴＲＰ Ｔｘビームに対するＵＥ測定によって、インター／イントラＴＲＰ Ｔｘビームを変更できるようにするために用いられる。
【０１００】
Ｐ−３：ＵＥがビームフォーミングを用いる場合、同一のＴＲＰ Ｔｘビームに対するＵＥ測定が、ＵＥ Ｒｘビームを変更するのに用いられる。
【０１０１】
少なくとも、ネットワークによりトリガされた非周期的報告（aperiodic reporting）は、Ｐ−１、Ｐ−２、及びＰ−３関連動作においてサポートされる。
【０１０２】
ビーム管理（少なくともＣＳＩ−ＲＳ）のためのＲＳに基づいたＵＥ測定は、Ｋ（ビームの総数）個のビームで構成され、ＵＥは、選択されたＮ個のＴｘビームの測定結果を報告する。ここで、Ｎは、必ずしも固定された数ではない。移動性の目的のためのＲＳに基づく手順は排除されない。報告情報は、少なくともＮ＜Ｋである場合、Ｎ個のビーム（１つ又は複数）に対する測定量及びＮ個のＤＬ送信ビームを示す情報を含む。特に、Ｋ’＞１個のノンゼロパワー（ＮＺＰ）ＣＳＩ−ＲＳリソースを有するＵＥに対して（for UEs with K’ > 1 non-zero-power (NZP) CSI-RS resources）、ＵＥは、Ｎ’個のＣＲＩ（ＣＳＩ−ＲＳリソースインジケータ）を報告することができる。
【０１０３】
ＵＥは、ビーム管理のために次のような上位層パラメータ（higher layer parameter）に設定されることができる。
【０１０４】
−Ｎ≧１報告設定（setting）、Ｍ≧１リソース設定
【０１０５】
−報告設定とリソース設定との間のリンクは、合意したＣＳＩ測定設定において設定される。
【０１０６】
−ＣＳＩ−ＲＳベースＰ−１及びＰ−２は、リソース及び報告設定でサポートされる。
【０１０７】
−Ｐ−３は、報告設定の有無に関係なくサポートされることができる。
【０１０８】
−少なくとも以下の事項を含む報告設定（reporting setting）
【０１０９】
−選択されたビームを示す情報
【０１１０】
−Ｌ１測定報告（L1 measurement reporting）
【０１１１】
−時間領域の動作（例えば、非周期的（aperiodic）動作、周期的（periodic）動作、セミパーシステント（伴−持続的）（semi-persistent）動作）
【０１１２】
−様々な周波数粒度（細分性）（frequency granularity）がサポートされる場合の周波数粒度
【０１１３】
−少なくとも以下の事項を含むリソース設定（resource setting）
【０１１４】
−時間領域の動作（例えば、非周期的動作、周期的動作、セミパーシステント動作）
【０１１５】
−ＲＳタイプ：少なくともＮＺＰ ＣＳＩ−ＲＳ
【０１１６】
−少なくとも１つのＣＳＩ−ＲＳリソースセット。各ＣＳＩ−ＲＳリソースセットは、Ｋ≧１個のＣＳＩ−ＲＳリソースを含む（Ｋ個のＣＳＩ−ＲＳリソースの一部のパラメータは同一であり得る。例えば、ポート番号、時間領域の動作、密度及び周期）
【０１１７】
また、ＮＲは、Ｌ＞１であるＬ（個の）グループを考慮して次のビーム報告をサポートする。
【０１１８】
−最小限のグループを示す情報
【０１１９】
−Ｎ１ビームに対する測定量（measurement quantity）（Ｌ１ ＲＳＲＰ及びＣＳＩ報告サポート（ＣＳＩ−ＲＳがＣＳＩ取得のためである場合））
【０１２０】
−適用できる場合、Ｎｌ個のＤＬ送信ビームを示す情報
【０１２１】
前述したようなグループベースのビーム報告は、ＵＥ単位で構成することができる。また、上記グループベースのビーム報告は、ＵＥ単位でターンオフ（turn-off）されることができる（例えば、Ｌ＝１又はＮｌ＝１の場合）。
【０１２２】
ＮＲは、ＵＥがビーム失敗（beam failure）から復旧するメカニズムをトリガできることをサポートする。
【０１２３】
ビーム失敗（beam failure）イベントは、関連付けられた（連関した）（associated）制御チャネルのビームペアリンク（beam pair link）の品質が十分に低いときに発生する（例えば、閾値との比較、関連付けられたタイマのタイムアウト）。ビーム失敗（又は、障害）から復旧するメカニズムは、ビーム障害が発生するときにトリガされる。
【０１２４】
ネットワークは、復旧を目的としてＵＬ信号を送信するためのリソースを（有する）ＵＥに明示的に構成する。リソースの構成は、基地局が全部又は一部の方向から（例えば、ランダムアクセス領域（random access region））リッスン（聴取）（listening）する所においてサポートされる。
【０１２５】
ビーム障害を報告するＵＬ送信／リソースは、ＰＲＡＣＨ（ＰＲＡＣＨリソースに直交するリソース）と同一の時間インスタンス（instance）に又はＰＲＡＣＨと異なる時間インスタンス（ＵＥに対して構成可能）に位置する。ＤＬ信号の送信は、ＵＥが新しい潜在的なビームを識別するためにビームをモニタできるようにサポートされる。
【０１２６】
ＮＲは、ビーム関連指示（beam-related indication）に関係なくビーム管理をサポートする。ビーム関連指示が提供される場合、ＣＳＩ−ＲＳベース測定のために用いられたＵＥ側ビームフォーミング／受信手順に関する情報は、ＱＣＬを介してＵＥに指示されることができる。ＮＲにおいてサポートするＱＣＬパラメータとしては、ＬＴＥシステムにおいて使用していた遅延（delay）、ドップラ（Doppler）、平均利得（average gain）などに対するパラメータだけでなく、受信端におけるビームフォーミングのための空間パラメータが追加される予定であり、端末受信ビームフォーミングの観点からａｎｇｌｅ ｏｆ ａｒｒｉｖａｌ関連パラメータ及び／又は基地局受信ビームフォーミングの観点からａｎｇｌｅ ｏｆ ｄｅｐａｒｔｕｒｅ関連パラメータが含まれることができる。ＮＲは、制御チャネル及び該当データチャネル送信において同一か又は異なるビームを用いることをサポートする。
【０１２７】
ビームペアリンクブロッキング（beam pair link blocking）に対するロバスト（堅固）性（robustness）をサポートするＮＲ−ＰＤＣＣＨ送信のために、ＵＥは、同時にＭ個のビームペアリンク上でＮＲ−ＰＤＣＣＨをモニタリングするように構成されることができる。ここで、Ｍ≧１及びＭの最大値は少なくともＵＥ能力に依存することができる。
【０１２８】
ＵＥは、相異なるＮＲ−ＰＤＣＣＨ ＯＦＤＭシンボルにおいて、相異なるビームペアリンク（１つ又は複数）上のＮＲ−ＰＤＣＣＨをモニタリングするように構成されることができる。複数のビームペアリンク上でＮＲ−ＰＤＣＣＨをモニタリングするためのＵＥ Ｒｘビーム設定と関連するパラメータは、上位層シグナリング若しくはＭＡＣ−ＣＥにより構成されるか並びに／又はサーチスペース（探索空間）設計において考慮される。
【０１２９】
少なくとも、ＮＲは、ＤＬ ＲＳアンテナポート（１つ又は複数）とＤＬ制御チャネルの復調のためのＤＬ ＲＳアンテナポート（１つ又は複数）との間の空間ＱＣＬ仮定の指示をサポートする。ＮＲ−ＰＤＣＣＨ（すなわち、ＮＲ−ＰＤＣＣＨをモニタリングする構成方法）に対するビーム指示のための候補シグナリング方法は、ＭＡＣ−ＣＥシグナリング、ＲＲＣシグナリング、ＤＣＩシグナリング、スペックトランスペアレント（specification transparent）及び／又は暗示的方法、並びにそれらのシグナリング方法の組み合わせである。
【０１３０】
ユニキャストＤＬデータチャネルの受信のために、ＮＲは、ＤＬ ＲＳアンテナポートとＤＬデータチャネルのＤＭＲＳアンテナポートとの間の空間ＱＣＬ仮定の指示をサポートする。
【０１３１】
ＲＳアンテナポートを示す情報は、ＤＣＩ（ダウンリンク許可）により示される。また、この情報は、ＤＭＲＳアンテナポートとＱＣＬされているＲＳアンテナポートを示す。ＤＬデータチャネルに対するアンテナポートの相異なるセットは、ＲＳアンテナポートの他のセット及びＱＣＬとして示すことができる。
【０１３２】
以下、本明細書で提案する方法を具体的に説明する前に、本明細書で提案する方法と直／間接的に関連する内容についてまず簡単に説明する。
【０１３３】
５Ｇ、Ｎｅｗ Ｒａｔ（ＮＲ）などの次世代通信においては、より多くの通信機器がより大きい通信容量を要求するようになるにつれて、従来のＲＡＴ（Radio Access Technology）に比べて向上したモバイルブロードバンド通信の必要性が高くなっている。
【０１３４】
また、複数の機器及び事物（objects）を接続していつでもどこでも様々なサービスを提供するｍａｓｓｉｖｅ ＭＴＣ（Machine Type Communications）も次世代通信において考慮される主要な論点（issues）の１つである。
【０１３５】
それだけでなく、信頼性（reliability）及び遅延（latency）にセンシティブ（敏感）な（）サービス及び／又は端末（ＵＥ）を考慮した通信システムのデザイン又は構造が論議されている。
【０１３６】
このように、ｅＭＢＢ（Enhanced Mobile BroadBand）通信、ｍＭＴＣ（massive MTC）、ＵＲＬＬＣ（Ultra-Reliable and Low Latency Communication）などを考慮した次世代ＲＡＴ（Radio Access Technology）の導入について現在論議中であり、本明細書では、便宜上、該当技術（technology）を「Ｎｅｗ ＲＡＴ（ＮＲ）」と称する。
【０１３７】
Ｓｅｌｆ−ｃｏｎｔａｉｎｅｄスロット構造
【０１３８】
ＴＤＤシステムにおいてデータ送信の遅延（latency）を最小にするために、５世代Ｎｅｗ  ＲＡＴ（ＮＲ）においては、図５に示すようなセルフコンテインドスロット構造（self-contained slot structure）を考慮している。
【０１３９】
すなわち、図５は、本明細書で提案する方法を適用できるセルフコンテインドスロット構造（self-contained slot structure）の一例を示す図である。
【０１４０】
図５において、斜線領域５１０は、ダウンリンク制御（downlink control）領域を示し、黒い部分５２０は、アップリンク制御（uplink control）領域を示す。
【０１４１】
何れの表示もない部分５３０は、ダウンリンクデータ送信のために使用されることもでき、アップリンクデータ送信のために使用されることもできる。
【０１４２】
このような構造の特徴は、１つのスロット内でＤＬ送信とＵＬ送信とが順次行われ、１つのスロット内でダウンリンクデータを送信し、アップリンクＡｃｋ／Ｎａｃｋも送受信できる。
【０１４３】
このようなスロットを「セルフコンテインド（自己完結型）スロット（self-contained slot）」と定義する。
【０１４４】
すなわち、このようなスロット構造により、基地局は、データ送信エラー発生時に端末へのデータ再送信までにかかる時間を減らすことになり、これにより、最終的なデータ伝達の遅延（latency）を最小にすることができる。
【０１４５】
このようなセルフコンテインドスロット（self-contained slot）構造において、基地局及び端末は、送信モードから受信モードに遷移する過程又は受信モードから送信モードに遷移する過程のための時間間隔（time gap）が必要である。
【０１４６】
このために、当該スロット構造において、ＤＬからＵＬに遷移される時点の一部ＯＦＤＭシンボルがガード区間（保護区間）（Guard Period：ＧＰ）に設定される。
【０１４７】
アナログビームフォーミング（Analog beamforming）
【０１４８】
ミリ波（millimeter Wave：ｍｍＷ）では、波長が短くなって同一面積に複数のアンテナの設置が可能となる。
【０１４９】
すなわち、３０ＧＨｚ帯域において、波長は１ｃｍであり、４×４ｃｍのパネル（panel）に０．５ラムダ（lambda）（すなわち、波長）間隔で２次元配列形態でトータル６４（８×８）個のアンテナエレメント（antenna element）が設置できる。
【０１５０】
したがって、ｍｍＷでは、複数のアンテナエレメントを用いてビームフォーミング（Beam Forming：ＢＦ）利得を向上させてカバレッジを増加させるか、スループット（throughput）を向上させようとする。
【０１５１】
この場合は、アンテナエレメント別に送信電力及び位相調節ができるようにＴＸＲＵ（Transceiver Unit）を有すると、周波数リソース（資源）（resource）別に独立したビームフォーミングが可能である。
【０１５２】
しかしながら、約１００個のアンテナエレメントの全てにＴＸＲＵを設置するのは、コストの側面で実効性が低下するという問題がある。
【０１５３】
したがって、１つのＴＸＲＵに複数のアンテナエレメントをマッピングし、アナログ位相シフタ（analog phase shifter）でビームの方向を調節する方式が考慮されている。
【０１５４】
このようなアナログビームフォーミング方式は、全帯域において１つのビーム方向のみしか生成できないため、周波数選択的ＢＦができないという欠点がある。
【０１５５】
このような理由により、デジタル（Digital）ＢＦとアナログ（analog）ＢＦとの中間形態としてＱ個のアンテナエレメントより少ない個数であるＢ個のＴＸＲＵを有するハイブリッドビームフォーミング（Hybrid BF：ＨＢＦ）を考慮することができる。
【０１５６】
ＨＢＦは、Ｂ個のＴＸＲＵとＱ個のアンテナエレメントとの接続方式によって違いはあるが、同時に送信できるビームの方向は、Ｂ個以下に制限される。
【０１５７】
図６は、本明細書で提案する方法を適用できるＴＸＲＵとアンテナエレメントとの接続方式の一例を示す図である。
【０１５８】
ここで、ＴＸＲＵ仮想化（virtualization）モデルは、ＴＸＲＵの出力シグナルとアンテナエレメントの出力シグナルとの関係を示す。
【０１５９】
図６の（ａ）は、ＴＸＲＵがサブアレイ（sub-array）に接続された方式の一例を示す。
【０１６０】
図６の（ａ）に示すように、アンテナエレメントは、１つのＴＸＲＵにのみ接続される。図６の（ａ）とは異なり、図６の（ｂ）は、ＴＸＲＵが全てのアンテナエレメントに接続された方式を示す。
【０１６１】
すなわち、図６の（ｂ）の場合、アンテナエレメントは、全てのＴＸＲＵに接続される。
【０１６２】
図６において、Ｗは、アナログ位相シフタ（analog phase shifter）により乗算される位相ベクトルを示す。
【０１６３】
すなわち、Ｗによりアナログビームフォーミングの方向が決定される。ここで、ＣＳＩ−ＲＳアンテナポートとＴＸＲＵとのマッピングは、１対１（1-to-1）又は一対多（1-to-many）であり得る。
【０１６４】
ＣＳＩフィードバック（feedback）
【０１６５】
３ＧＰＰ ＬＴＥ（−Ａ）システムにおいては、ユーザ機器（ＵＥ）がチャネル状態情報（ＣＳＩ）を基地局（ＢＳ）に報告するように定義されている。
【０１６６】
ここで、チャネル状態情報（ＣＳＩ）は、ＵＥとアンテナポートとの間に形成される無線チャネル（又は、「リンク」ともいう）の品質を示すことのできる情報の通称である。
【０１６７】
例えば、ランクインジケータ（Rank Indicator：ＲＩ）、プリコーディング行列インジケータ（Precoding Matrix Indicator：ＰＭＩ）、チャネル品質インジケータ（Channel Quality Indicator：ＣＱＩ）などがこれに該当する。
【０１６８】
ここで、ＲＩは、チャネルのランク（rank）情報を示し、これは、ＵＥが同一の（同日）（same）時間−周波数リソースを介して受信するストリームの数を意味する。この値は、チャネルのロングタームフェージング（fading）により（従属して）（depending on）決定されるので、通常ＰＭＩ、ＣＱＩより長い周期で、ＵＥからＢＳにフィードバックされる。
【０１６９】
ＰＭＩは、チャネル空間特性を反映した値であり、ＳＩＮＲなどのメトリック（metric）を基準に、ＵＥにとって好ましいプリコーディングインデックスを示す。
【０１７０】
ＣＱＩは、チャネルの強度を示す値であり、一般に、基地局（ＢＳ）がＰＭＩを用いたときに得られる受信ＳＩＮＲを意味する。
【０１７１】
３ＧＰＰ ＬＴＥ（−Ａ）システムにおいて、基地局は、複数のＣＳＩプロセスをＵＥに設定し、各プロセスに対するＣＳＩの報告を受けることができる。
【０１７２】
ここで、ＣＳＩプロセスは、基地局からの信号品質特定のためのＣＳＩ−ＲＳと干渉測定のためのＣＳＩ−ＩＭ（Interference Measurement）リソースとで構成される。
【０１７３】
参照信号の仮想化（RS virtualization）
【０１７４】
ｍｍＷにおいてアナログビームフォーミング（analog beamforming）により一時点で１つのアナログビーム方向にのみＰＤＳＣＨ送信が可能である。
【０１７５】
したがって、基地局は、特定方向にある一部の少数のＵＥにのみデータを送信する。
【０１７６】
したがって、必要によって、アンテナポート別にアナログビーム方向が異なるように設定して、様々なアナログビーム方向にある複数のＵＥに同時にデータ送信を行うことを可能にする。
【０１７７】
図７は、本明細書で提案する方法を適用できるＴＸＲＵ別のサービスエリアの様々な一例を示す図である。
【０１７８】
図７の場合、２５６個のアンテナエレメントを４等分して４個のサブアレイ（sub-array）を形成し、各サブアレイにＴＸＲＵを接続した構造に関し、これを例として説明する。
【０１７９】
各サブアレイが２次元配列形態でトータル６４（８×８）個のアンテナエレメントで構成されると、特定アナログビームフォーミングにより１５度の水平角領域と１５度の垂直角（各）領域とに該当する地域をカバーすることができる。
【０１８０】
すなわち、基地局がサービスを提供しなければならない地域を複数の領域に分け、１回に１つずつサービスを提供する。
【０１８１】
以下の説明において、ＣＳＩ−ＲＳアンテナポートとＴＸＲＵとは、一対一マッピングされたと仮定する。
【０１８２】
したがって、アンテナポートとＴＸＲＵとは、以下の説明において同一の意味を有すると解釈（解析）される（interpreted）ことができる。
【０１８３】
図７の（ａ）のように、全てのＴＸＲＵ（アンテナポート、サブアレイ）が同一のアナログビームフォーミング方向を有すると、より高い解像度（resolution）を有するデジタルビームを形成して該当地域のスループット（throughput）を増加させることができる。
【０１８４】
また、該当地域に対する送信データのランク（rank）を増加させて、該当地域のスループットを増加させることができる。
【０１８５】
さらに、図７の（ｂ）のように、各ＴＸＲＵ（アンテナポート、サブアレイ）が異なるアナログビームフォーミング方向を有すると、該当サブフレーム（ＳＦ）において、より広い領域に分布されたＵＥに同時にデータを送信することができる。
【０１８６】
図７の（ｂ）に示すように、４つのアンテナポートのうちの２つは、領域（region）１にあるＵＥ１に対するＰＤＳＣＨ送信のために使用し、残りの２つは、領域２にあるＵＥ２に対するＰＤＳＣＨ送信のために使用するようにする。
【０１８７】
また、図７の（ｂ）は、ＵＥ１に送信されるＰＤＳＣＨ１とＵＥ２に送信されるＰＤＳＣＨ２とがＳＤＭ（Spatial Division Multiplexing）された例を示す。
【０１８８】
それとは異なり、図７の（ｃ）のように、ＵＥ１に送信されるＰＤＳＣＨ１とＵＥ２に送信されるＰＤＳＣＨ２とがＦＤＭ（Frequency Division Multiplexing）されて送信されることもできる。
【０１８９】
全てのアンテナポートを用いて１つの領域にサービスを提供する方式とアンテナポートを分けて複数の領域に同時にサービスを提供する方式との間で、セルスループット（cell throughput）を最大化（maximization）するために、ＵＥにサービスを提供するランク（RANK）及びＭＣＳに応じて好ましい方式が変化することがある。
【０１９０】
また、各ＵＥに送信するデータの量に応じても好ましい方式が変化する。
【０１９１】
基地局は、全てのアンテナポートを用いて１つの領域にサービスを提供するときに得られるセルスループット又はスケジューリングメトリック（scheduling metric）を計算し、アンテナポートを分けて２つの領域にサービスを提供するときに得られるセルスループット又はスケジューリングメトリックを計算する。
【０１９２】
基地局は、各方式から得られるセルスループット又はスケジューリングメトリックを比較して、最終送信方式を選択するようにする。
【０１９３】
結果的に、ＳＦ−ｂｙ−ＳＦでＰＤＳＣＨ送信に参加するアンテナポートの数が変動する。
【０１９４】
基地局がアンテナポートの数に応じたＰＤＳＣＨの送信ＭＣＳを計算してスケジューリングアルゴリズムに反映するために、これに適合するＵＥからのＣＳＩフィードバックが要求される。
【０１９５】
ビーム参照信号（Beam Reference Signal：ＢＲＳ）
【０１９６】
ビーム参照信号（ＢＲＳ）は、１つ又は複数のアンテナポートｐ＝｛０, １, …, ７｝から送信される。
【０１９７】
ＢＲＳのシーケンス生成と関連して、参照信号シーケンスｒl（ｍ）は、数式２により定義される。
【０１９８】
＜数式２＞
【数２】
2020509655.tif 000044
【０１９９】
数式２において、１は０〜１３であり、ＯＦＤＭシンボル番号を示す。また、ｃ（ｉ）は、疑似ランダムシーケンス（pseudo-random sequence）を意味し、疑似ランダムシーケンス生成器は、各ＯＦＤＭシンボルの開始において数式３により初期化することができる。
【０２００】
＜数式３＞
【数３】
2020509655.tif 000045
【０２０１】
ビーム調整参照信号（beam refinement reference signal）
【０２０２】
また、ビーム調整参照信号（beam refinement reference signal）と関連して、ビーム調整参照信号は、８つのアンテナポート（ｐ＝６００〜６０７）までのアンテナポートを介して送信される。
【０２０３】
ビーム調整参照信号のシーケンス生成と関連して、参照信号ｒl,ns（ｍ）は、数式４のように生成される。
【０２０４】
＜数式４＞
【数４】
2020509655.tif 000046
【０２０５】
数式４において、ｎsは、無線フレーム内のスロット番号を示し、１は、スロット内のＯＦＤＭシンボル番号を示す。ｃ（ｎ）は、疑似ランダムシーケンスを意味し、疑似ランダムシーケンス生成器は、各ＯＦＤＭシンボルの開始において数式５により初期化される。
【０２０６】
＜数式５＞
【数５】
2020509655.tif 000047
【０２０７】
数式５において、
2020509655.tif 000048
は、ＲＲＣシグナリングを介して端末に設定される。
【０２０８】
ＤＬ位相雑音補償参照信号（DL Phase noise compensation reference signal）
【０２０９】
ｘＰＤＳＣＨ（すなわち、ＮＲシステムにおいてサポートするＰＤＳＣＨ）と関連付けられた位相雑音補償参照信号は、ＤＣＩフォーマットでのシグナリングを介してアンテナポート（１つ又は複数）ｐ＝６０及び／又はｐ＝６１から送信される。また、位相雑音補償参照信号は、該当アンテナポートと関連付けられたｘＰＤＳＣＨ送信に対してのみ存在（present）及び／又は有効（valid）であり、該当ｓＰＤＳＣＨがマッピングされた物理リソースブロック及びシンボルにおいてのみ送信される。さらに、位相雑音補償参照信号は、ｘＰＤＳＣＨ割り当てに該当する全てのシンボルにおいて同一である。
【０２１０】
位相雑音補償参照信号のシーケンス生成と関連して、参照信号シーケンスｒ（ｍ）は、数式６により定義される。
【０２１１】
＜数式６＞
【数６】
2020509655.tif 000049
【０２１２】
数式６において、ｃ（ｉ）は、疑似ランダムシーケンスを意味し、疑似ランダムシーケンス生成器は、各サブフレームの開始において数式７により初期化される。
【０２１３】
＜数式７＞
【数７】
2020509655.tif 000050
【０２１４】
数式７において、ｘＰＤＳＣＨ送信の場合、ｎSCIDは、ｘＰＤＳＣＨ送信と関連するＤＣＩフォーマットにより与えられ、特別な場合でなければ０に設定される。
【０２１５】
また、３Ｄ−ＭＩＭＯ（3-Dimension Multiple-Input Multiple-Output）又はＦＤ−ＭＩＭＯ（Full-Dimension Multiple-Input Multiple-Output）技術の場合、２次元平面アレイ構造（2-dimensional planar array structure）を有する能動アンテナシステム（Active Antenna System：ＡＡＳ）が用いられることができる。
【０２１６】
図８は、本明細書で提案する方法を適用できる２次元平面アレイ構造を用いるＭＩＭＯシステムの一例を示す図である。
【０２１７】
２次元平面アレイ構造により、多数のアンテナエレメント（antenna element）が、可能な基地局形態のエレメント内に装填（パッキング）（packing）されるだけでなく、３次元空間における適応的なビームフォーミング（adaptive electronic）能力が供給されることもできる。
【０２１８】
ＮＲシステムのＭＩＭＯ設計と関連して、基地局と端末との間のチャネル状態測定及び報告のためのＣＳＩフレームワーク（CSI framework）が考慮されている。
【０２１９】
本明細書は、後述するＣＳＩフレームワーク（又は、ＣＳＩ取得フレームワーク）に基づいたＣＳＩ報告方法を提案する。具体的には、本明細書は、ＣＳＩ報告手順と関連するＣＳＩ−ＲＳ送信トリガ（triggering）（若しくは、活性化／非活性化）並びに／又はＣＳＩ報告トリガに対する動的シグナリング方法を提案する。
【０２２０】
本明細書において、ＣＳＩフレームワークは、ＣＳＩ設定（CSI configuration）と称されることができ、ＣＳＩフレームワークに関する設定情報は、ＣＳＩ設定情報を意味することができる。また、本明細書において、測定設定（measurement setting）は、ＣＳＩのための測定設定を意味し、報告設定（reporting setting）は、ＣＳＩのための報告設定を意味し、リソース設定（resource setting）は、ＣＳＩのためのリソース設定を意味することができる。この場合、上記ＣＳＩ設定情報には、上記測定設定を示す情報、上記報告設定を示す情報、及び／又は上記リソース設定を示す情報が含まれることができる。
【０２２１】
まず、ＮＲシステムにおいて考慮されるＣＳＩフレームワークについて、具体的に説明する。
【０２２２】
ＣＳＩフレームワークは、レガシＬＴＥシステムにおいてＣＳＩ関連手順がＣＳＩプロセス（CSI process）の形態にのみ規定されたのとは異なり、ＣＳＩ報告設定（CSI reporting setting）、リソース設定（resource setting）、及びＣＳＩ測定設定（CSI measurement setting）を用いてＣＳＩ関連手順を規定することを意味することができる。これにより、ＮＲシステムにおいて、ＣＳＩ関連手順は、チャネル及び／又はリソースの状況に応じてより柔軟な（flexible）方式で行われることができる。
【０２２３】
すなわち、ＮＲシステムにおけるＣＳＩ関連手順に対する設定は、ＣＳＩ報告設定、リソース設定、及びＣＳＩ測定設定間の組み合わせにより定義される。
【０２２４】
例えば、端末は、Ｎ≧１個のＣＳＩ報告設定、Ｍ≧１個のリソース設定、及び１つのＣＳＩ測定設定で、ＣＳＩ取得のために設定されることができる。ここで、ＣＳＩ測定設定は、Ｎ個のＣＳＩ報告設定とＭ個のリソース設定との間のリンク関係（link）に関する設定情報を意味することができる。また、ここで、リソース設定は、参照信号設定（RS settings）及び／又は干渉測定設定（IM（Interference Measurement） settings）を含む。
【０２２５】
図９は、本明細書で提案する方法を適用できるＮＲシステムにおいて考慮されるＣＳＩフレームワーク（CSI framework）の一例を示す。
【０２２６】
図９に示すように、ＣＳＩフレームワークは、報告設定（Reporting setting）９０２、測定設定（Measurement setting）９０４、及びリソース設定（Resource setting）９０６で設定される。ここで、報告設定は、ＣＳＩ報告設定を意味し、測定設定は、ＣＳＩ測定設定を意味し、リソース設定は、ＣＳＩ−ＲＳリソース設定を意味する。
【０２２７】
図９に示すように、報告設定９０２は、Ｎ個の（Ｎ≧１）報告設定（例えば、Ｒｅｐｏｒｔｉｎｇ ｓｅｔｔｉｎｇ ｎ１，Ｒｅｐｏｒｔｉｎｇ ｓｅｔｔｉｎｇ ｎ２など）で構成されることができる。
【０２２８】
また、リソース設定９０６は、Ｍ個の（Ｍ≧１）リソース設定（例えば、Ｒｅｓｏｕｒｃｅ ｓｅｔｔｉｎｇ ｍ１，Ｒｅｓｏｕｒｃｅ ｓｅｔｔｉｎｇ ｍ２，Ｒｅｓｏｕｒｃｅ ｓｅｔｔｉｎｇ ｍ３など）で構成されることができる。ここで、各リソース設定は、Ｓ個の（Ｓ≧１）リソースセット（resource set）を含むことができ、各リソースセットは、Ｋ個の（Ｋ≧１）ＣＳＩ−ＲＳリソースを含むことができる。
【０２２９】
また、測定設定９０４は、報告設定とリソース設定との間のリンク（link）関係及び該当リンクに対して設定された測定タイプを示す設定情報を意味することができる。この場合、各測定設定は、Ｌ個の（Ｌ≧１）リンクを含むことができる。例えば、測定設定は、Ｒｅｐｏｒｔｉｎｇ ｓｅｔｔｉｎｇ ｎ１とＲｅｓｏｕｒｃｅ ｓｅｔｔｉｎｇ ｍ１との間のリンク（Ｌｉｎｋ ｌ１）に関する設定情報、Ｒｅｐｏｒｔｉｎｇ ｓｅｔｔｉｎｇ ｎ１とＲｅｓｏｕｒｃｅ ｓｅｔｔｉｎｇ ｍ２との間のリンク（Ｌｉｎｋ ｌ２）に関する設定情報などを含むことができる。
【０２３０】
ここで、Ｌｉｎｋ ｌ１及びＬｉｎｋ ｌ２のそれぞれは、チャネル測定用リンク又は干渉測定用リンクのいずれか１つに設定される。それだけではなく、Ｌｉｎｋ ｌ１及び／又はＬｉｎｋ ｌ２は、レートマッチング（rate matching）又は他の用途のために設定されることもできる。
【０２３１】
この場合、１つのＣＳＩ測定設定内で１つ又は複数のＣＳＩ報告設定が、Ｌ１（Layer 1）又はＬ２（Layer 2）シグナリングを介して動的に（dynamically）選択される。また、少なくとも１つのリソース設定から選択される１つ若しくは複数のＣＳＩ−ＲＳリソースセット並びに少なくとも１つのＣＳＩ−ＲＳリソースセットから選択された１つ若しくは複数のＣＳＩ−ＲＳリソースも、Ｌ１又はＬ２シグナリングを介して動的に選択されることができる。
【０２３２】
以下、ＮＲシステムにおいて考慮されるＣＳＩフレームワークを構成するＣＳＩ報告設定、リソース設定（すなわち、ＣＳＩ−ＲＳリソース設定）、及びＣＳＩ測定設定について説明する。
【０２３３】
ＣＳＩ報告設定（CSI reporting setting）
【０２３４】
まず、ＣＳＩ報告設定は、端末が基地局に対して行うＣＳＩ報告のタイプ、該当ＣＳＩ報告に含まれる情報などを設定するための情報を意味することができる。
【０２３５】
例えば、ＣＳＩ報告設定は、時間領域の動作タイプ（time-domain behavior type）、周波数粒度（frequency granularity）、報告されるＣＳＩパラメータ（例えば、ＰＭＩ（Precoding Matrix Indicator）、ＲＩ（Rank Indicator）、ＣＱＩ（Channel Quality Indicator））、ＣＳＩタイプ（例えば、ＣＳＩ Ｔｙｐｅ１又は２）、コードブックサブセット（部分集合）制限（codebook subset restriction）を含むコードブック設定、測定制限（measurement restriction）設定などを含むことができる。
【０２３６】
本明細書において、時間領域の動作タイプは、非周期的（aperiodic）動作、周期的（periodic）動作、又はセミパーシステント（semi-persistent）動作を意味する。
【０２３７】
ここで、ＣＳＩ報告設定の設定パラメータは、上位層シグナリング（higher layer signaling）（例えば、ＲＲＣシグナリング）を介して設定（又は、指示）される。
【０２３８】
リソース設定（resource setting）
【０２３９】
次に、リソース設定は、ＣＳＩ測定及び報告のために用いるリソースを設定するための情報を意味する。例えば、リソース設定は、時間領域の動作タイプ、ＲＳのタイプ（例えば、ＮＺＰ ＣＳＩ−ＲＳ（Non-Zero Power CSI-RS）、ＺＰ ＣＳＩ−ＲＳ（Zero Power CSI-RS）、ＤＭＲＳなど）、Ｋ個のリソースで構成されたリソースセットなどを含むことができる。
【０２４０】
前述したように、各リソース設定は、１つ又は複数のリソースセットを含むことができ、各リソースセットは、少なくとも１つのリソース（例えば、ＣＳＩ−ＲＳリソース）を含むことができる。また、リソース設定は、チャネル測定及び／又は干渉測定のための信号に対する設定を含むことができる。
【０２４１】
例えば、各リソース設定は、Ｓ個のリソースセット（例えば、ＣＳＩ−ＲＳリソースセット）に関する設定情報を含み、各リソースセットに対するＫ個のリソースに関する設定情報も含むことができる。ここで、各リソースセットは、端末に対して設定された全てのＣＳＩ−ＲＳリソースのプール（pool）から異なるように選択されたセットに該当する。また、各リソースに関する設定情報は、リソースエレメントへのマッピング、ポートの数、時間領域の動作タイプなどに関する情報を含むことができる。
【０２４２】
また、他の例として、各リソース設定は、Ｓ個のＣＳＩ−ＲＳリソースに関する設定情報及び／又は各ＣＳＩ−ＲＳリソースに対して同一か又は小さな数のポートのＫ個のＣＳＩ−ＲＳリソースに関する設定情報を含むこともできる。
【０２４３】
ここで、Ｎ−ポートＣＳＩ−ＲＳリソースのＣＳＩ−ＲＳ ＲＥマッピングパターンは、同一であるか又はより少ないポート数（例えば、２、４、若しくは８）のＣＳＩ−ＲＳリソースの１つ又は複数のＣＳＩ−ＲＳマッピングパターンで構成されることができる。ここで、ＣＳＩ−ＲＳ ＲＳマッピングパターンは、スロット内で定義され、複数の設定可能な連続／非連続ＯＦＤＭシンボルに跨がる（架かる）（span）ことができる。
【０２４４】
この場合、リソース設定の設定パラメータは、上位層シグナリング（例えば、ＲＲＣシグナリング）を介して設定される。
【０２４５】
ＣＳＩ測定設定（CSI measurement setting）
【０２４６】
次に、ＣＳＩ測定設定は、端末が、ＣＳＩ報告のために、特定ＣＳＩ報告設定とこれにマッピングされた特定リソース設定とに関してどのような測定を行うかを示す設定情報を意味する。すなわち、ＣＳＩ測定設定は、ＣＳＩ報告設定とリソース設定との間のリンク関係に関する情報を含み、各リンク（link）に対する測定タイプを示す情報を含むことができる。また、測定タイプは、チャネル測定（channel measurement）、干渉測定（interference measurement）、レートマッチング（rate matching）などを意味することができる。
【０２４７】
例えば、ＣＳＩ測定設定は、ＣＳＩ報告設定を示す情報、リソース設定を示す情報、ＣＱＩの場合に基準送信方式（reference transmission scheme）に関する設定を含む。これと関連して、端末は、Ｌ≧１個のＣＳＩ測定設定をサポートすることができ、Ｌ値は、該当端末の能力によって設定されることができる。
【０２４８】
ここで、１つのＣＳＩ報告設定は、１つ又は複数のリソース設定に接続（リンク）され、複数のＣＳＩ報告設定が同一のリソース設定に対して接続されることもできる。
【０２４９】
この場合、ＣＳＩ測定設定に対する設定パラメータ（１つ又は複数）は、上位層シグナリング（例えば、ＲＲＣシグナリング）を介して設定されることができる。
【０２５０】
また、前述したＣＳＩ報告設定、リソース設定、及びＣＳＩ測定設定と関連して、時間領域の動作タイプに応じた合意事項は、次の通りである。
【０２５１】
まず、周期的ＣＳＩ−ＲＳの場合（すなわち、ＣＳＩ−ＲＳの送信が周期的に行われる場合）、セミパーシステントＣＳＩ報告は、ＭＡＣ−ＣＥ及び／又はダウンリンク制御情報（Downlink Control Information：ＤＣＩ）により活性化（activation）／非活性化（deactivation）される。それとは異なり、非周期的ＣＳＩ報告は、ＤＣＩによりトリガされることができ、ただし、この場合、ＭＡＣ−ＣＥに設定された追加的なシグナリングが必要となり得る。
【０２５２】
次に、セミパーシステントＣＳＩ−ＲＳの場合（すなわち、ＣＳＩ−ＲＳの送信がセミパーシステントに行われる場合）、周期的ＣＳＩ報告は、サポートされない。それに対して、セミパーシステントＣＳＩ報告は、ＭＡＣ−ＣＥ及び／又はＤＣＩにより活性化／非活性化されることができ、セミパーシステントＣＳＩ−ＲＳは、ＭＡＣ−ＣＥ及び／又はＤＣＩにより活性化／非活性化されることができる。また、この場合、非周期的ＣＳＩ報告は、ＤＣＩによりトリガされることができ、セミパーシステントＣＳＩ−ＲＳは、ＭＡＣ−ＣＥ及び／又はＤＣＩにより活性化／非活性化されることができる。
【０２５３】
最後に、非周期的ＣＳＩ−ＲＳの場合（すなわち、ＣＳＩ−ＲＳの送信が非周期的に行われる場合）、周期的（及び、セミパーシステント）ＣＳＩ報告は、サポートされない。それに対して、非周期的ＣＳＩ報告は、ＤＣＩによりトリガされることができ、非周期的ＣＳＩ−ＲＳは、ＤＣ及び／又はＭＡＣ−ＣＥによりトリガされることができる。
【０２５４】
以下、本明細書で説明される実施形態は、説明の便宜のために区別（区分）された（distinguished）のに過ぎず、ある実施形態の一部の構成や特徴は、他の実施形態に含まれることができ、又は他の実施形態の対応する構成若しくは特徴と置き換えられることができる。例えば、以下の第１実施形態ないし第３実施形態で説明される方式が第４実施形態で説明される方式に適用されることができ、その反対の場合も可能である。
【０２５５】
以下、前述したリソース設定（すなわち、ＣＳＩ−ＲＳリソース設定）、ＣＳＩ測定設定、及びＣＳＩ報告設定に関して考慮できる設定方法について説明する。
【０２５６】
第１実施形態−リソース設定（resource setting）に関して考慮可能な設定方法
【０２５７】
まず、前述したリソース設定と関連して、ＣＳＩ−ＲＳリソース設定は、ＮＺＰ ＣＳＩ−ＲＳ及びＺＰ ＣＳＩ−ＲＳなどの２つのタイプのＲＳタイプを含むことができる（参考として、本明細書で言及されるＣＳＩ−ＲＳは、ＮＺＰ ＣＳＩ−ＲＳ及びＺＰ ＣＳＩ−ＲＳの両方ともに適用できる）。
【０２５８】
ＣＳＩ測定設定内で特定リソースの用途がそれぞれ指示されるので、ＮＺＰ ＣＳＩ−ＲＳリソース及びＺＰ ＣＳＩ−ＲＳリソースの両方ともが該当リソース設定内で設定できる。ここで、ＺＰ ＣＳＩ−ＲＳは、干渉推定（すなわち、干渉測定（interference measurement））の用途又はデータチャネル（例えば、ＮＲ−ＰＤＳＣＨ）のレートマッチング（rate matching）の用途に適用されることができる。また、ＮＺＰ ＣＳＩ−ＲＳは、チャネル推定（すなわち、チャネル測定（channel measurement））の用途だけでなく、干渉推定の用途にも適用できる。
【０２５９】
また、リソース設定に含まれるＮＺＰ ＣＳＩ−ＲＳは、ＣＳＩ取得及びビーム管理（beam management）の全てに対して適用できる。
【０２６０】
具体的には、ビーム管理のためのＣＳＩ−ＲＳリソースも、アナログビーム選択及びデジタルビーム選択に対する統合運用（unified operation）のためのリソース設定に含まれることができる。ＣＳＩ取得の主要機能の１つは、ＰＭＩ及びＣＲＩ（CSI-TE Resource Indication）などの端末フィードバック情報によるビーム選択である。ＤＬビーム管理の目的もビーム（１つ又は複数）を選択することであり、ＴＲＰ送信ビームは、端末フィードバック情報により選択される。ただし、ＤＬビーム管理の追加機能が端末受信ビームを選択することであるが、端末受信ビームの選択は、ＣＳＩ−ＲＳシンボル又はサブシンボルを介して複数の繰り返された送信ビームを送信することにより簡単にサポートされることができる。その結果、前述したＣＳＩフレームワークは、ビーム管理を目的としても用いられることができる。
【０２６１】
このようなリソース設定に対して、非周期的ＣＳＩ−ＲＳ、セミパーシステントＣＳＩ−ＲＳ、及び周期的ＣＳＩ−ＲＳなどの３種類の時間領域の動作タイプをサポートすることができる。この場合、前述した３種類の時間領域の動作タイプは、ＮＺＰ ＣＳＩ−ＲＳ及びＺＰ ＣＳＩ−ＲＳの両方ともに対して共通に適用される。これと関連して、非周期的ＩＭＲ（Interference Measurement Resource）及びセミパーシステントＩＭＲは、動的な（dynamic）ＴＤＤ動作、及びＮＲシステムの下位（順方向）互換性（forward compatibility）を考慮すると、高い干渉推定精度（正確度）とシステム設計に対する高い柔軟性とを提供することができる。
【０２６２】
また、リソース設定には、ＣＳＩ−ＲＳタイミングオフセット（以下、「Ｘ」という。）が含まれることができる。Ｘは、ＣＳＩ−ＲＳの送信に対するトリガ／活性化／非活性化の時点と実際のＣＳＩ−ＲＳの送信との間の時間間隔（time gap）を意味することができる。ここで、ＣＳＩ−ＲＳタイミングオフセットは、スロットの数（すなわち、スロット単位）又はシンボルの数（すなわち、シンボル単位）の形態で表現されることができる。例えば、ＤＣＩにより非周期的ＣＳＩ−ＲＳトリガが行われる場合、Ｘは、「０」に設定されることができる。
【０２６３】
前述したＸと関連して、本発明の多様な実施形態においては、Ｘがネットワーク（すなわち、基地局）により設定されるとき、Ｘの候補値は、上位層メッセージ（例えば、ＲＲＣメッセージ）により指示され、ＣＳＩフレームワーク上でリソース設定に含まれることができる。ここで、Ｘは、設定可能にサポートされる場合が仮定される。すなわち、Ｘは、特定値（例えば、０）に設定されてもよいが、状況に応じて他の値（例えば、０、１、２）に設定されてもよい。
【０２６４】
例えば、端末は、基地局からビーム管理のためのＸ値として「１」を指示されることができる。これにより、ＣＳＩ−ＲＳの送信が特定時点でトリガされた場合、該当端末は、特定時点を基準に「１」に該当する時間間隔以後にＣＳＩ−ＲＳが送信されることを認識することができる。
【０２６５】
また、この場合、チャネル又は干渉測定のために適用するＸ値は、ＭＡＣ−ＣＥ又はＤＣＩのように相対的に動的なシグナリング手段により指示されることもできる。ここで、該当指示は、ＣＳＩ−ＲＳトリガのためのＭＡＣ−ＣＥ及び／又はＤＣＩに含まれて共に伝達されることができる。
【０２６６】
あるいは、ＣＳＩ−ＲＳトリガに対して、ＲＲＣシグナリングで設定されたリソース設定においてＭＡＣ−ＣＥを介して候補リソースを選択した後、ＤＣＩに最終リソースを選択する階層的シグナリング（hierarchical signaling）構造が適用される。ここで、上記Ｘ値は、ＭＡＣ−ＣＥ又はＤＣＩのいずれか１つに含まれることができる。あるいは、ＭＡＣ−ＣＥを介して候補群を選択した後、ＤＣＩを介して最終Ｘ値が設定（又は、指示）されることもできる。
【０２６７】
第２実施形態−ＣＳＩ測定設定（CSI measurement setting）に関して考慮可能な設定方法
【０２６８】
次に、前述したＣＳＩ測定設定と関連して、ＮＲシステムにおいては、チャネル測定のための非周期的／セミパーシステント／周期的リソース設定と干渉測定のための非周期的／セミパーシステント／周期的リソース設定との間の任意の組み合わせをサポートする柔軟な測定設定（flexible measurement setting）が許容される（allowed）ことができる。
【０２６９】
特に、セミパーシステントＣＳＩ報告又は周期的ＣＳＩ報告を考慮するとき、Ｌ１／Ｌ２制御シグナリングを回避又は最小にするために、セミパーシステント又は周期的干渉測定用リソース（例えば、ＺＰ ＣＳＩ−ＲＳ及びＮＺＰ ＣＳＩ−ＲＳ）が考慮される必要がある。また、非周期的ＣＳＩ−ＲＳ設定は、非周期的ＣＳＩ報告のためのセミパーシステント又は周期的干渉測定用リソースと関連付けられることがある。逆に、セミパーシステント又は周期的ＣＳＩ＿ＲＳは、非周期的ＣＳＩ報告のための非周期的干渉測定用リソースと関連付けられることができる。
【０２７０】
結論として、測定設定は、非周期的／セミパーシステント／パーシステントＣＳＩ報告、チャネル測定のための非周期的／セミパーシステント／パーシステントリソース設定（例えば、ＮＺＰ ＣＳＩ−ＲＳ）と、干渉測定のための非周期的／セミパーシステント／パーシステントリソース設定（例えば、ＺＰ ＣＳＩ−ＲＳ及びＮＺＰ ＣＳＩ−ＲＳ）と、の間の柔軟なマッピング方式をサポートする必要がある。
【０２７１】
第３実施形態−ＣＳＩ報告設定（CSI reporting setting）に関して考慮可能な設定方法
【０２７２】
次に、前述したＣＳＩ報告設定と関連して、ＮＲシステムは、非周期的ＣＳＩ報告、セミパーシステントＣＳＩ報告、及び周期的ＣＳＩ報告をサポートすることができる。
【０２７３】
この場合、前述したＣＳＩ測定設定構成（CSI measurement setting configuration）によって適切なＣＳＩ報告内容（CSI reporting contents）が定義される必要がある。
【０２７４】
まず、ＣＳＩ取得のためのＣＳＩ−ＲＳリソース（１つ又は複数）が特定の測定設定において指示される場合、該当ＣＳＩ報告内容は、ＬＴＥシステム（特に、ｅＦＤ−ＭＩＭＯ ＷＩ）においてサポートされる既存の従来のＣＳＩ報告タイプであり得る。
【０２７５】
それとは異なり、ビーム管理のためのＣＳＩ−ＲＳリソースが特定の測定設定において指示される場合、該当ＣＳＩ報告の内容は、ＤＬビーム管理をサポートするための必須報告内容に基づいて決定される。ＣＳＩリソース内の各ＣＳＩ−ＲＳポートは、相異なるアナログビームに対応することができるので、該当ＣＳＩ報告の内容は、適合するビーム方向の情報（beam direction information）を報告するためのペア（pair）からなる情報（例えば、｛ＣＲＩ, ｐｏｒｔ ｉｎｄｅｘ｝）であり得る。ビーム関連情報以外にも、ＲＳＲＰなどのビーム利得関連メトリック（beam gain related metric）と共に報告される必要がある。
【０２７６】
また、ＣＳＩ報告設定には、ＣＳＩ報告オフセット（CSI reporting offset）（以下、「Ｙ」という。）が含まれることができる。Ｙは、ＣＳＩ報告に対するトリガ／活性化／非活性化の時点と実際のＣＳＩ報告の時点との間の時間間隔を意味することができる。ここで、Ｙは、スロットの数（すなわち、スロット単位）又はシンボルの数（すなわち、シンボル単位）の形態で表現されることができる。ここで、Ｙ値は、システム上で予め固定されているか、ネットワークにより設定（又は、指示）されることもできる。Ｙ値に対する候補値は、ＣＳＩ算出時間（CSI computation time）を考慮して決定され、これは、ＣＳＩ測定／リソース／報告設定の数、ＣＳＩフィードバックタイプ、ポートの数、端末能力などによって設定されることができる。
【０２７７】
第４実施形態−ＣＳＩフレームワークベースの動的シグナリング手順（dynamic signaling procedure）
【０２７８】
以下、前述したＣＳＩフレームワークと関連する動的シグナリング（dynamic signaling）方法（すなわち、ＣＳＩ報告及びＣＳＩ−ＲＳ送信と関連する動的シグナリング）について具体的に説明する。
【０２７９】
これと関連して、非周期的ＣＳＩ報告は、ＤＣＩによりトリガされると合意された。それに対して、非周期的ＣＳＩ−ＲＳトリガ、セミパーシステントＣＳＩ−ＲＳ活性化／非活性化、及びセミパーシステントＣＳＩ報告活性化／非活性化に関するシグナリング動作は、依然として論議されている。ここで、ＣＳＩ−ＲＳトリガ／活性化／非活性化は、ＣＳＩ−ＲＳ送信に対するトリガ／活性化／非活性化を意味することができる。
【０２８０】
ここで、非周期的ＣＳＩ−ＲＳトリガがＭＡＣ−ＣＥにより行われる場合、ＲＳの側面から、制御シグナリング（excessive control signaling）によるオーバーヘッドが大きくなり得る。また、このような制御シグナリングの遅延により、非周期的ＣＳＩ−ＲＳの柔軟な利用（flexible usage）を制限することができる。したがって、非周期的ＣＳＩ−ＲＳは、ＤＣＩによりトリガされることが好ましい。
【０２８１】
また、セミパーシステントＣＳＩ−ＲＳ及びＣＳＩ報告は、ＭＡＣ−ＣＥを介して活性化及び／又は非活性化されることが好ましい。これは、セミパーシステントな特性に応じると、ＤＣＩに対する検出が失敗した場合に大きな影響を受ける可能性があるためである。例えば、非活性化信号が欠落されると、チャネル推定が正確に行われることができず、活性化信号が欠落される場合、不正確なレートマッチングによりデータ復調性能が低下する可能性がある。
【０２８２】
すなわち、非周期的ＣＳＩ−ＲＳは、ＤＣＩによりトリガされ、セミパーシステントＣＳＩ−ＲＳ及びＣＳＩ報告は、ＭＡＣ−ＣＥにより活性化又は非活性化されることが好ましい。
【０２８３】
上記内容を参照すると、Ｌ１／Ｌ２シグナリング（例えば、ＤＣＩ／ＭＡＣ−ＣＥを介するシグナリング）は、非周期的又はセミパーシステントＣＳＩ報告と非周期的又はセミパーシステントＣＳＩ−ＲＳの送信とを目的として用いられることができる。
【０２８４】
ここで、ＣＳＩ報告トリガ／活性化／非活性化の場合、ＣＳＩ測定設定内において１つのＣＳＩ報告設定が動的に（dynamically）指示される必要がある。あるいは、ＣｏＭＰ動作（Coordinated Multipoint Operation）の目的として、複数の（multiple）ＣＳＩ報告設定が動的に指示されることもできる。すなわち、特定のＣＳＩ測定設定内での１つ又は複数のＣＳＩ報告設定に対する選択は、Ｌ１又はＬ２シグナリングによりサポートされることができる。
【０２８５】
また、ＣＳＩ−ＲＳトリガ／活性化／非活性化の場合、１つのリソース設定（すなわち、少なくとも１つのリソース設定）において選択された１つのＣＳＩ−ＲＳリソースが動的に指示される必要がある。あるいは、ＣＳＩ報告の場合と同様に、ＣｏＭＰ動作を考慮して複数のＣＳＩ−ＲＳリソースが動的に指示されることもできる。すなわち、少なくとも１つのリソース設定での１つ又は複数のＣＳＩ−ＲＳリソースに対する選択は、Ｌ１又はＬ２シグナリングによりサポートされることができる。
【０２８６】
また、非周期的ＣＳＩ−ＲＳと非周期的ＣＳＩ報告とがジョイントトリガ（joint triggering）される場合、ＣＳＩ報告設定（１つ若しくは複数）並びにＣＳＩ−ＲＳリソース（１つ若しくは複数）に対するジョイント選択（joint selection）が行われる。ここで、ＣＳＩ報告設定（１つ又は複数）とＣＳＩ−ＲＳリソース（１つ又は複数）とに対するジョイント選択は、ＣＳＩ報告設定（１つ又は複数）とＣＳＩ−ＲＳリソース（１つ又は複数）とに対して同時に選択（又は、指示、設定）することを意味する。このような方式は、セミパーシステントＣＳＩ−ＲＳ及びセミパーシステントＣＳＩ報告の場合も同様に適用される。
【０２８７】
また、ＣＳＩ−ＲＳのＲＥパターン（すなわち、ＲＥマッピングパターン）又はリソースアグリゲーション（併合）（resource aggregation）に関する情報は、上位層シグナリング（例えば、ＲＲＣシグナリング）を介してのみ伝達されることもできる。
【０２８８】
前述した動的シグナリング（dynamic signaling）方法と関連して、特に、本明細書においては、端末でのＣＳＩ測定及び報告のためのＣＳＩ−ＲＳの送信及びＣＳＩ報告をトリガ（triggering）する方法について説明する。
【０２８９】
まず、前述したように、Ｌ１又はＬ２シグナリングを介してＣＳＩ−ＲＳのトリガ、活性化、又は非活性化と、ＣＳＩ報告のトリガ、活性化、又は非活性化と、が行われる。ここで、特に、ＣＳＩ−ＲＳに対するトリガとＣＳＩ報告に対するトリガとが同時に行われる場合、ＣＳＩ測定設定内で１つ又は複数のＣＳＩ報告設定が選択（又は、指示）されると同時に（simultaneously）、少なくとも１つのリソース設定内で１つ又は複数のＣＳＩ＿ＲＳリソースが選択されることができる。
【０２９０】
この場合、基地局が端末に送信するＤＣＩを介して、前述したような選択を指示する方法が好ましい。
【０２９１】
参考として、レガシＬＴＥシステムの場合、ＣＳＩ−ＲＳの送信とＣＳＩ報告とに対してジョイントトリガ方式が用いられる。言い換えると、ＣＳＩ−ＲＳの送信とＣＳＩ報告とは独立してトリガされない。この場合、ＣＳＩ−ＲＳの送信に対するトリガとＣＳＩ報告に対するトリガとは、必ずマッピング関係により指示されるので、トリガ間の柔軟性が低下する問題が発生する可能性がある。
【０２９２】
それに対して、ＮＲシステムの場合、レガシＬＴＥシステムにおいて用いられるＣＳＩプロセスの代わりに、測定設定、リソース設定、及び報告設定で構成されたＣＳＩフレームワークを用いる点に照らして、ＣＳＩ−ＲＳの送信とＣＳＩ報告とのトリガに対する柔軟性（flexibility）が要求される。したがって、ＣＳＩ−ＲＳの送信に対するトリガとＣＳＩ報告に対するトリガとを独立して（independently）行う方法が考慮される必要がある。
【０２９３】
これと関連して、本明細書は、特にＤＣＩを介して、ＣＳＩ−ＲＳの送信に対するトリガ（例えば、第１トリガ）と、ＣＳＩ報告に対するトリガ（例えば、第２トリガ）と、を独立して指示（又は、実行）する方法を提案する。
【０２９４】
図１０は、本明細書で提案する方法を適用できるＣＳＩ測定及び報告に関する全般的な手順を示す。図１０は、単に説明の便宜のためのものにすぎず、本発明の範囲を制限するものではない。
【０２９５】
図１０に示すように、ＣＳＩ−ＲＳの送信に対するトリガとＣＳＩ報告に対するトリガとが同時に行われる場合が仮定される。
【０２９６】
Ｓ１００５において、端末は、基地局からＣＳＩ設定情報を受信することができる。ここで、ＣＳＩ設定情報は、前述したＣＳＩフレームワークに関する情報（すなわち、ＣＳＩ測定設定、ＣＳＩ報告設定、及びリソース設定に関する情報）を意味する。ここで、該当端末は、ＣＳＩ設定情報を上位層シグナリングを介して受信することができる。
【０２９７】
Ｓ１０１０において、端末は、基地局からＣＳＩ−ＲＳの送信に対するトリガ及びＣＳＩ報告に対するトリガをトリガ（リング）ＤＣＩ（１００２）を介して指示を受けることができる。ここで、端末は、トリガＤＣＩ（１００２）を介して、同時にＣＳＩ−ＲＳの送信とＣＳＩ報告との指示を受けることができる。トリガＤＣＩ（１００２）に関する具体的な内容は、後で、図１１において説明される。
【０２９８】
Ｓ１０１５において、端末は、トリガされた１つ又は複数のＣＳＩ−ＲＳを基地局から受信することができる。
【０２９９】
この後、Ｓ１０２０において、端末は、受信したＣＳＩ−ＲＳを用いて推定された（又は、測定された）結果値で、ＣＳＩ報告（CSI reporting）を行うことができる。
【０３００】
図１１は、本明細書で提案する方法を適用できるトリガ（リング）ＤＣＩ構造の例を示す。図１１は、単に説明の便宜のためのものにすぎず、本発明の範囲を制限するものではない。
【０３０１】
図１１に示すように、ＣＳＩ−ＲＳの送信に対するトリガ及びＣＳＩ報告に対するトリガのための図１０におけるトリガＤＣＩ（１００２）は、３種類の構造で構成される。３種類の構造は、ａ）特定ＤＣＩ（すなわち、同一のＤＣＩ）内のそれぞれのフィールドに設定された構造、ｂ）特定ＤＣＩ内のフラグ情報及び共通フィールドに設定された構造、及びｃ）別個のＤＣＩに設定される構造である。
【０３０２】
（方法１：特定ＤＣＩ内のそれぞれのフィールドで設定された構造を用いる方法）
【０３０３】
まず、ＤＣＩ内にＣＳＩ−ＲＳトリガ情報（すなわち、ＣＳＩ−ＲＳ Ｔｒｉｇ Ｉｎｆｏ）のためのフィールドとＣＳＩ報告トリガ情報（すなわち、ＣＳＩ報告Ｔｒｉｇ Ｉｎｆｏ）のためのフィールドとをそれぞれ構成する方法について説明する。
【０３０４】
図１１のａ）構造を参照すると、ＣＳＩ−ＲＳ送信に対するトリガとＣＳＩ報告に対するトリガとが、特定ＤＣＩ（すなわち、同一のＤＣＩ又は１つのＤＣＩ）内の異なるフィールドで行われる。例えば、ＣＳＩ−ＲＳトリガ情報は、ＣＳＩ−ＲＳの送信のためのＣＳＩ−ＲＳリソースインデックス（CSI-RS resource index）を含み、ＣＳＩ報告トリガ情報は、ＣＳＩ報告設定インデックス（CSI reporting setting index）を含むことができる。
【０３０５】
ここで、各フィールドは、それぞれ、別途のフィールドで構成されることができ、１つのトリガフィールド内のサブフィールド（sub-field）で構成されることもできる。
【０３０６】
この場合、端末は、１つのＤＣＩのみをデコードしてＣＳＩ−ＲＳトリガ及びＣＳＩ報告トリガの指示を受けることができる。すなわち、１つのＤＣＩを用いてもフィールドを異なるように構成することにより、２つのトリガを区別できるという利点がある。
【０３０７】
（方法２：特定ＤＣＩ内のフラグ情報及び共通フィールドで設定された構造を用いる方法）
【０３０８】
次に、ＤＣＩ内にＣＳＩ−ＲＳトリガとＣＳＩ報告トリガとを区別するためのフラグ（flag）情報と、トリガ情報を指示するための共通フィールド（common field）と、を構成する方法について説明する。
【０３０９】
図１１のｂ）構造を参照すると、特定ＤＣＩ（すなわち、同一のＤＣＩ又は１つのＤＣＩ）内に２つのトリガを区別するためのフラグ情報（例えば、１ビット情報）が存在し、ＣＳＩ−ＲＳトリガ情報（ＣＳＩ−ＲＳ Ｔｒｉｇ  Ｉｎｆｏ）又はＣＳＩ報告トリガ情報（ＣＳＩ報告Ｔｒｉｇ  Ｉｎｆｏ）を示すフィールドが存在する。
【０３１０】
例えば、フラグ情報がＣＳＩ−ＲＳに対するトリガを示す場合、共通フィールドにおいては、ＣＳＩ−ＲＳリソースインデックスが指示されることができる。それに対して、フラグ情報がＣＳＩ報告に対するトリガを示す場合、共通フィールドでは、ＣＳＩ報告設定インデックスが指示されることができる。
【０３１１】
あるいは、フラグ情報がＣＳＩ−ＲＳとＣＳＩ報告とを同時にトリガするか否かをさらに指示することもできる。すなわち、上記フラグ情報は、ＣＳＩ−ＲＳに対するトリガとＣＳＩ報告に対するトリガとの間のジョイントトリガが可能か否かを指示することもできる。ここで、上記フラグ情報は、上記ジョイントトリガが可能か否かを指示するためのビットが追加的に設定されることができる。この場合、共通フィールドにおいては、ＣＳＩ−ＲＳトリガ情報とＣＳＩ報告トリガ情報とが共に指示されることができる。例えば、共通フィールドにおける指示情報は、ＣＳＩ−ＲＳリソースインデックスとＣＳＩ報告設定インデックスとがジョイントエンコード（joint encoding）された情報を含むことができる。
【０３１２】
該当方法の場合、フラグ情報により特定ＤＣＩに含まれるトリガ情報の量が減少するという利点がある。
【０３１３】
（方法３：別個のＤＣＩで設定される構造を用いる方法）
【０３１４】
次に、ＣＳＩ−ＲＳトリガのためのＤＣＩとＣＳＩ報告トリガのためのＤＣＩとを別途に構成する方法について説明する。言い換えると、該当方法は、ＣＳＩ−ＲＳトリガフィールドが含まれたＤＣＩと、ＣＳＩ報告トリガフィールドが含まれたＤＣＩと、を別個に設計する方法である。すなわち、ＣＳＩ−ＲＳトリガ情報（CSI-RS Trig Info）とＣＳＩ報告トリガ情報（ＣＳＩ報告Trig Info）とが、それぞれ異なるＤＣＩに含まれるように設定される。例えば、ＣＳＩ−ＲＳトリガとＣＳＩ報告トリガとに対して、ＤＣＩフォーマット（DCI format）及び／又はＰＤＣＣＨリソース（PDCCH resource）が異なるように設定されることができる。
【０３１５】
例えば、ＣＳＩ−ＲＳトリガフィールドは、ＤＬスケジューリング情報を提供するＤＬ ＤＣＩに含まれ、ＣＳＩ報告トリガフィールドは、ＵＬスケジューリング情報を提供するＵＬ ＤＣＩに含まれることができる。この場合、各トリガフィールドに対してＤＣＩのタイプが逆に設定できることは言うまでもない。
【０３１６】
ここで、端末は、２つのＤＣＩが同一のスロット（又は、同一のシンボル（１つ若しくは複数））において共に指示できることを認知し、２つのＤＣＩを全て検出（又はモニタリング）するための動作を行うことができる。
【０３１７】
この場合、各トリガに対するＤＣＩフォーマットを異なるように設計することにより、端末が特定トリガを他のトリガと誤認する確率を低減できるという利点がある。
【０３１８】
また、ＣＳＩ報告のトリガ又は活性化のために、特定ＣＳＩ測定設定内において１つ又は複数のＣＳＩ報告設定を動的に選択（又は、指示）するとき、該当報告設定に予め接続された（すなわち、予めリンクされた）（例えば、ＲＲＣシグナリングを介して予め設定された）複数のリソース設定が存在することがある。
【０３１９】
この場合、本発明の多様な実施形態において、より効率的な（及び／又は、動的な）ＣＳＩ測定及び報告のために、特定リンク（１つ又は複数）をオン（ＯＮ）／オフ（ＯＦＦ）するインジケータ（indicator）を共に伝達する方法が考慮されることができる。
【０３２０】
例えば、１つの報告設定に対して、２つのチャネルリンク（channel links）を介してＮＺＰ ＣＳＩ−ＲＳリソースに設定された第１リソース設定及びＮＺＰ ＣＳＩ−ＲＳリソースに設定された第２リソース設定が接続（連接）され（concatenated）、１つの干渉リンクを介してＺＰ ＣＳＩ−ＲＳリソースに設定された第３リソース設定が接続された場合を仮定することができる。この場合、３つのリンクが全て接続された状態で非周期的ＣＳＩ報告がトリガされると、端末は、前述した２つのＮＺＰ ＣＳＩ−ＲＳリソースが全てサービングセル（serving cell）として動作することを仮定して（すなわち、ＣｏＭＰジョイント送信（CoMP joint transmission）を仮定して）ＣＳＩ測定及び報告を行うことができる。
【０３２１】
ここで、特定リンクをオン／オフする上記方法を適用すると、例えば、上記第１リソース設定及び上記第２リソース設定のいずれか１つに該当するリンクが動的に（dynamically）オフされることができる。この場合、端末は、１つの基地局のみ（すなわち、１つのＮＺＰ ＣＳＩ−ＲＳリソースのみ）をサービングセルと仮定して、ＣＳＩ測定及び報告を行うことができる。他の例として、上記インジケータを介して上記第３リソース設定（すなわち、ＺＰ ＣＳＩ−ＲＳリソース）に該当するリンクがオフされる場合、端末は、干渉が存在しないと仮定して、ＣＳＩ測定及び報告を行うことができる。
【０３２２】
該当方法の場合、上記インジケータを介して該当測定設定内のリンク設定を柔軟に変更できるという利点がある。これにより、特定リソースに基づいた干渉測定又はチャネル測定を柔軟に調整することができ、リンク設定を変更するために測定設定を再送信（又は、再受信）する動作が減少する。例えば、特定リンクに対するオン／オフを変更するために別途の測定設定を設定する不要な動作が要求されない。すなわち、上記インジケータを介したリンク設定変更を用いて、より適応的な（adaptive）チャネル測定又は干渉測定が行われる。
【０３２３】
また、本発明の多様な実施形態において、より効率的な（及び／又は、動的な）ＣＳＩ測定及び報告のために、特定リンク（１つ又は複数）の用途をスワップする（切り替える）（swapping）インジケータ（indicator）（すなわち、swapping indicator）を共に伝達する方法も考慮されることができる。ここで、特定リンクの用途をスワップする動作は、該当リンクの用途をチャネル測定から干渉測定に変更するか、レートマッチングに変更するか、又はその反対の場合を意味することができる。すなわち、特定リンクの用途をスワップする動作は、該当リンクの用途をチャネル測定、干渉測定、又はレートマッチングのいずれか１つに変更する動作を意味する。
【０３２４】
例えば、１つの報告設定に対して、２つのチャネルリンクを介してＮＺＰ ＣＳＩ−ＲＳリソースに設定された第１リソース設定及びＮＺＰ ＣＳＩ−ＲＳリソースに設定された第２リソース設定が接続され、１つの干渉リンクを介してＺＰ ＣＳＩ−ＲＳリソースに設定された第３リソース設定が接続された場合を仮定することができる。ここで、上記インジケータを介して、第１リソース設定（すなわち、ＮＺＰ ＣＳＩ−ＲＳリソース）に該当するリンクを干渉測定用に変更することができる。これは、ＮＺＰ ＣＳＩ−ＲＳリソースがチャネル測定用途だけでなく、干渉測定用途としても利用できるので可能である。
【０３２５】
該当方法の場合、上記方法のように、上記インジケータを介して該当測定設定内のリンク設定を柔軟に変更できるという利点がある。これにより、特定リソースに基づいた干渉測定又はチャネル測定を柔軟に調整することができ、リンク設定を変更するために測定設定を別途に再送信（又は、再受信）する不要な動作が減少する。
【０３２６】
ここで、上記方法で用いられるインジケータ（すなわち、リンクオン／オフインジケータ及び／又はスワップインジケータ）は、Ｌ１又はＬ２シグナリング（すなわち、ＤＣＩ又はＭＡＣ−ＣＥ）を介して伝達される。また、上記インジケータは、ＣＳＩ報告のトリガ又は活性化を指示する情報（例えば、図１０のトリガ（リング）（Triggering）ＤＣＩ（１００２））と共に伝達されることもできる。
【０３２７】
あるいは、ＣＳＩ報告トリガに対して、ＲＲＣシグナリングに設定された複数のリソース設定においてＭＡＣ−ＣＥを介して候補リソース設定（candidate resource setting）を選択した後、ＤＣＩで最終リソース設定を選択する階層的シグナリング構造が適用される。ここで、上記インジケータは、ＭＡＣ−ＣＥ又はＤＣＩのいずれか１つに含まれることができる。あるいは、ＭＡＣ−ＣＥを介して複数のリンクオン／オフ（又は、リンクスワップ）候補群を選択した後、ＤＣＩを介して最終リンクオン／オフ（又は、リンクスワップ）が指示されることもできる。
【０３２８】
また、前述した本発明の多様な実施形態において、ＣＳＩ測定設定内の特定リソース（すなわち、リソース設定）が、データチャネル（例えば、ＮＲ−ＰＤＳＣＨ）の復調時のレートマッチングの用途で設定（又は、指示）される。すなわち、レガシＬＴＥシステムのＺＰ ＣＳＩ−ＲＳのように、該当のＣＳＩ−ＲＳリソースが与える（又は、受ける）干渉が大きいと判断される場合、基地局は、該当リソースをヌリング（nulling）する用途で設定（又は、指示）することができる。これにより、該当指示を受ける端末のチャネル測定又は干渉測定時に発生可能な干渉の程度が効率的に制御されることができる。
【０３２９】
図１２は、本明細書で提案する方法を適用できる、無線通信システムにおいてＣＳＩを測定及び報告する端末の動作フローチャートを示す。図１２は、単に説明の便宜のためのものにすぎず、本発明の範囲を制限するものではない。
【０３３０】
図１２に示すように、図１２の端末の動作は、図１０で説明された端末の動作を具体化することであり得る。
【０３３１】
Ｓ１２０５において、端末は、ＣＳＩ報告手順に関するＣＳＩ設定情報（CSI configuration information）を受信する。ここで、ＣＳＩ設定情報は、前述したＣＳＩ測定設定情報、ＣＳＩ報告設定情報、リソース設定（すなわち、ＣＳＩ−ＲＳリソース設定）情報を含む。
【０３３２】
この後、Ｓ１２１０において、上記リソース設定情報に基づいて、端末は、１つ又は複数のＣＳＩ−ＲＳを受信する。ここで、端末は、１つ又は複数のＣＳＩ−ＲＳを受信する前に、ＣＳＩ−ＲＳ送信に対するトリガ指示を受信することができ、これは、ＣＳＩ報告トリガと共に指示されることができる。この場合、上記リソース設定情報に基づいて受信することは、Ｓ１２０５で受信したリソース設定情報に基づいて、上記トリガにより指示されたＣＳＩ−ＲＳリソースを介してＣＳＩ−ＲＳを受信することを意味する。
【０３３３】
この後、Ｓ１２１５において、上記ＣＳＩ測定設定情報及びＣＳＩ報告設定情報に基づいて、上記１つ又は複数のＣＳＩ−ＲＳにより推定された測定値によって決定された上記ＣＳＩを報告する。
【０３３４】
この場合、上記１つ又は複数のＣＳＩ−ＲＳの送信に対する第１トリガと上記ＣＳＩの報告に対する第２トリガとは、ダウンリンク制御情報（ＤＣＩ）により指示されることができる。
【０３３５】
ここで、上記第１トリガ及び上記第２トリガは、上記端末に対して同時に（simultaneously）、すなわち、同一のスロット（slot）内で指示されることができる。
【０３３６】
また、上記第１トリガと上記第２トリガとは、特定ＤＣＩ（すなわち、１つのＤＣＩ）を介して指示されることができる。上記特定ＤＣＩは、上記第１トリガのための第１フィールド及び上記第２トリガのための第２フィールドを含むことができる。例えば、図１１のａ）のように、上記第１トリガ及び上記第２トリガのそれぞれのためのフィールドが、同一のＤＣＩ内で設定されることができる。ここで、上記第１フィールドは、上記第１トリガと関連する１つ又は複数のＣＳＩ−ＲＳリソースに対するインデックスを指示し、上記第２フィールドは、上記第２トリガと関連する１つ又は複数のＣＳＩ報告設定に対するインデックスを指示することができる。
【０３３７】
また、上記第１トリガ及び上記第２トリガは、特定ＤＣＩにより指示され、上記特定ＤＣＩは、上記第１トリガ若しくは上記第２トリガを指示するフラグ情報並びに共通フィールドを含むことができる。例えば、図１１のｂ）のように、特定ＤＣＩは、上記第１トリガと上記第２トリガとの間の区別のためのフラグ情報と、トリガと関連する情報を指示するための共通フィールドと、を含むことができる。ここで、前述したように、フラグ情報は、上記第１トリガと上記第２トリガとの間のジョイントトリガが可能か否かをさらに指示することができる。この場合、上記共通フィールドを介して、各トリガに関する情報が共に指示されることができる。
【０３３８】
また、上記第１トリガのための第１フィールドは、第１ＤＣＩに含まれ、上記第２トリガのための第２フィールドは、第２ＤＣＩに含まれることができる。すなわち、図１１のｃ）のように、ＣＳＩ−ＲＳトリガとＣＳＩ報告トリガとに対して、相異なるＤＣＩが設定される。
【０３３９】
また、上記第２トリガのように、前述したリンクオン／オフインジケータ又はリンクスワップインジケータ（又は、スワップ情報）が伝達されることができる。
【０３４０】
さらに、上記１つ又は複数のＣＳＩ−ＲＳは、非周期的に送信されるように設定され（すなわち、非周期的ＣＳＩ−ＲＳリソース設定）、上記ＣＳＩは、非周期的に報告されるように設定される（すなわち、非周期的ＣＳＩ報告設定）ことができる。
【０３４１】
本発明を適用できる装置一般
【０３４２】
図１３は、本発明の一実施形態による無線通信装置のブロック構成図を例示する。
【０３４３】
図１３に示すように、無線通信システムは、基地局（又は、ネットワーク）１３１０と端末１３２０とを含む。
【０３４４】
基地局１３１０は、プロセッサ（processor）１３１１、メモリ（memory）１３１２、及び通信モジュール（communication module）１３１３を含む。
【０３４５】
プロセッサ１３１１は、上記の図１〜図１２において提案された機能、過程及び／又は方法を実現する。有／無線インタフェースプロトコルの層は、プロセッサ１３１１により実現されることができる。メモリ１３１２は、プロセッサ１３１１に接続されて、プロセッサ１３１１を駆動するための様々な情報を保存する。通信モジュール１３１３は、プロセッサ１３１１に接続されて、有／無線信号を送信及び／又は受信する。
【０３４６】
通信モジュール１３１３は、無線信号を送／受信するためのＲＦ部（radio frequency unit）を含むことができる。
【０３４７】
端末１３２０は、プロセッサ１３２１、メモリ１３２２、並びに通信モジュール（若しくは、ＲＦ部）１３２３を含む。プロセッサ１３２１は、上記の図１〜図１２において提案された機能、過程及び／又は方法を実現する。無線インタフェースプロトコルの層は、プロセッサ１３２１により実現されることができる。メモリ１３２２は、プロセッサ１３２１に接続され、プロセッサ１３２１を駆動するための様々な情報を保存する。通信モジュール１３２３は、プロセッサ１３２１に接続されて、無線信号を送信及び／又は受信する。
【０３４８】
メモリ１３１２、１３２２は、プロセッサ１３１３、１３２１の内部又は外部に位置し、周知の様々な手段でプロセッサ１３１３、１３２１に接続される。
【０３４９】
また、基地局１３１０及び／又は端末１３２０は、１つのアンテナ（single antenna）又はマルチ（多重）アンテナ（multiple antenna）を有することができる。
【０３５０】
図１４は、本発明の一実施形態による通信装置のブロック構成図を例示する。
【０３５１】
特に、図１４においては、上記の図１３の端末をより詳細に例示する図である。
【０３５２】
図１４に示すように、端末は、プロセッサ（又は、デジタル信号プロセッサ（ＤＳＰ：Digital Signal Processor）１４１０、ＲＦモジュール（RF module）（又は、ＲＦユニット）１４３５、電力（パワー）管理モジュール（power management module）１４０５、アンテナ（antenna）１４４０、バッテリ（battery）１４５５、ディスプレイ（display）１４１５、キーパッド（keypad）１４２０、メモリ（memory）１４３０、ＳＩＭカード（SIM (Subscriber Identification Module) card）１４２５（この構成は、オプション（選択適）である（optional））、スピーカ（speaker）１４４５、及びマイクロホン（microphone）１４５０を含むことができる。端末は、また、単一のアンテナ又は複数（多重）の（multiple）アンテナを含むことができる。
【０３５３】
プロセッサ１４１０は、上記の図１〜図１２において提案された機能、過程及び／又は方法を実現する。無線インタフェースプロトコルの層は、プロセッサ１４１０により実現されることができる。
【０３５４】
メモリ１４３０は、プロセッサ１４１０に接続され、プロセッサ１４１０の動作に関する情報を保存する。メモリ１４３０は、プロセッサ１４１０の内部又は外部に位置し、周知の様々な手段でプロセッサ１４１０に接続される。
【０３５５】
ユーザは、例えば、キーパッド１４２０のボタンを押すか（若しくは、タッチするか）又はマイクロホン１４５０を用いた音声駆動（voice activation）により電話番号などの命令情報を入力する。プロセッサ１４１０は、このような命令情報を受信し、電話番号で電話をかけるなどの適切な機能を行うように処理する。駆動上のデータ（operational data）は、ＳＩＭカード１４２５又はメモリ１４３０から抽出することができる。また、プロセッサ１４１０は、ユーザの認知及び便宜のために、命令情報又は駆動情報をディスプレイ１４１５上に表示する。
【０３５６】
ＲＦモジュール１４３５は、プロセッサ１４１０に接続されて、ＲＦ信号を送信及び／又は受信する。プロセッサ１４１０は、通信を開始するために、例えば、音声通信データを構成する無線信号を送信するように命令情報をＲＦモジュール１４３５に伝達する。ＲＦモジュール１４３５は、無線信号を受信及び送信するために受信器（receiver）及び送信器（transmitter）で構成される。アンテナ１４４０は、無線信号を送信及び受信する機能を有する。無線信号を受信するとき、ＲＦモジュール１４３５は、プロセッサ１４１０により処理するために信号を伝達し、ベースバンドに信号を変換することができる。処理された信号は、スピーカ１４４５から出力される可聴又は可読情報に変換されることができる。
【０３５７】
以上で説明された実施形態は、本発明の構成要素と特徴とが所定の形態に結合されたものである。各構成要素又は特徴は、別途の明示的な言及がない限り、選択的なものとして考慮されなければならない。各構成要素又は特徴は、他の構成要素や特徴と結合されない形態で実施できる。また、一部の構成要素及び／又は特徴を結合し（組み合わせ）て本発明の実施形態を構成することも可能である。本発明の実施形態で説明される動作の順序は変更できる。ある実施形態の一部の構成や特徴は、他の実施形態に含まれることができ、又は他の実施形態の対応する構成若しくは特徴と置き換えることができる。特許請求の範囲で明示的な引用関係がない請求項を結合して実施形態を構成するか、又は出願後の補正により新たな請求項に含めることができることは自明である。
【０３５８】
本発明に従う実施形態は、多様な手段、例えば、ハードウェア、ファームウエア（firmware）、ソフトウェア、又はそれらの結合などにより実現できる。ハードウェアによる実現の場合、本発明の一実施形態は、１つ又は複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどにより実現できる。
【０３５９】
ファームウエアやソフトウェアによる実現の場合、本発明の一実施形態は、以上で説明された機能又は動作を行うモジュール、手続、関数などの形態で実現できる。ソフトウェアコードは、メモリに記憶（格納）され（stored）てプロセッサにより駆動できる。上記メモリは、上記プロセッサの内部又は外部に位置し、既に公知の多様な手段により、上記プロセッサとデータをやり取りすることができる。
【０３６０】
本発明は、本発明の必須の特徴を逸脱しない範囲で他の特定の形態に具体化できることは、通常の技術者に自明である。したがって、前述した詳細な説明は、全ての面で制限的に解析されてはならず、例示的なものとして考慮されなければならない。本発明の範囲は、添付した請求項の合理的な解析により決定されなければならず、本発明の等価的な範囲内での全ての変更は、本発明の範囲に含まれる。
【産業上の利用可能性】
【０３６１】
本発明の無線通信システムにおいて、チャネル状態情報を測定及び報告する方法は、３ＧＰＰ ＬＴＥ／ＬＴＥ−Ａシステム、５Ｇに適用される例を中心に説明したが、それ以外にも多様な無線通信システムに適用することができる。
【図１】
2020509655.tif 000051
【図２】
2020509655.tif 000052
【図３】
2020509655.tif 000053
【図４】
2020509655.tif 000054
【図５】
2020509655.tif 000055
【図６（ａ）】
2020509655.tif 000056
【図６（ｂ）】
2020509655.tif 000057
【図７（ａ）】
2020509655.tif 000058
【図７（ｂ）】
2020509655.tif 000059
【図７（ｃ）】
2020509655.tif 000060
【図８】
2020509655.tif 000061
【図９】
2020509655.tif 000062
【図１０】
2020509655.tif 000063
【図１１】
2020509655.tif 000064
【図１２】
2020509655.tif 000065
【図１３】
2020509655.tif 000066
【図１４】
2020509655.tif 000067
【国際調査報告】
2020509655.tif 000068
2020509655.tif 000069
2020509655.tif 000070
2020509655.tif 000071
2020509655.tif 000072
2020509655.tif 000073